(57)【特許請求の範囲】
【請求項１】
動力車のパワートレーンにてパワーユニットとトランスミッションとの間に配設するための多重クラッチ装置、場合によってはダブルクラッチ装置（１２）にして、当該クラッチ装置（１２）が、前記パワーユニットと前記トランスミッションとの間のトルク伝達のために、前記トランスミッションの第一のトランスミッション入力軸（２２）に付設された第一のクラッチ手段（６４）と前記トランスミッションの第二のトランスミッション入力軸（２４）に付設された第二のクラッチ手段（７２）とを有するクラッチ装置において、
前記クラッチ手段のうちの少なくとも一つのクラッチ手段（６４、７２）が、好ましくはより大きい有効な摩擦半径を有し場合によっては発進クラッチとして用いられる少なくとも一つのクラッチ手段（６４）が、マルチプレートクラッチ手段（６４ないし７２）として構成されていることを特徴とし、並びに、
以下の両方の構成要件を、すなわち
ａ）前記マルチプレートクラッチ手段（６４）のプレートパケット（７６）にて、少なくとも一つの摩擦ライニングを有するプレートが摩擦ライニングを有さないプレートと摩擦係合状態にされ得る、そのとき前記摩擦ライニングを有さないプレートのうちの少なくとも一つが、少なくとも一つの摩擦ライニングを有する隣接したプレートの摩擦ライニング担持エレメントよりも軸方向について厚いこと、及び、
ｂ）前記プレートパケット（７６）に、焼結材料からなる少なくとも一つの摩擦ライニングを有する少なくとも一つのプレート（１６６、１７０）も他の摩擦ライニング材料からなる少なくとも一つの摩擦ライニングを有する少なくとも一つのプレートも設けられており、そのとき、前記他の摩擦ライニング材料がすべり回転数（ΔＮ）に関して累進的な摩擦係数推移（ｄμ／ｄΔＮ）を有すること、の両方の構成要件を有すること、
を特徴とするクラッチ装置。
【請求項２】
前記の軸方向についてより厚いプレートが高い熱容量をもつ材料で、場合によっては鋼で作られていることを特徴とする、請求項１に記載のクラッチ装置。
【請求項３】
少なくとも一つの軸方向外側に位置する端部プレート（１６６、１７０）が焼結材料からなる少なくとも一つの摩擦ライニングを有することを特徴とする、請求項１または請求項２に記載のクラッチ装置。
【請求項４】
前記焼結材料からなる少なくとも一つの摩擦ライニングを担持するそれぞれの摩擦ライニング担持エレメントが、高い熱容量をもつ材料で、場合によっては鋼で作られている、あるいは／且つ前記他の摩擦ライニング材料からなる少なくとも一つの摩擦ライニングを担持する摩擦ライニング担持エレメントよりも軸方向について厚いことを特徴とする、請求項１〜３のいずれか一項に記載のクラッチ装置。
【請求項５】
前記パワートレーンの回転振動の自励に反対に作用するために、あるいは／且つ前記パワートレーンの回転振動を減衰させるために、すべり回転数（ΔＮ）に関しての前記プレートパケットの前記摩擦係数推移（ｄμ／ｄΔＮ）が全体で累進的である、あるいは少なくとも近似的に中立であることを特徴とする、請求項１〜４のいずれか一項に記載のクラッチ装置。
【請求項６】
前記他の摩擦ライニング材料が紙材料であることを特徴とする、請求項１〜５のいずれか一項に記載のクラッチ装置。
【請求項７】
動力車のパワートレーンにてパワーユニットとトランスミッションとの間に配設するための多重クラッチ装置、場合によってはダブルクラッチ装置（１２）にして、当該クラッチ装置（１２）が、前記パワーユニットと前記トランスミッションとの間のトルク伝達のために、前記トランスミッションの第一のトランスミッション入力軸（２２）に付設された第一のクラッチ手段（６４）と前記トランスミッションの第二のトランスミッション入力軸（２４）に付設された第二のクラッチ手段（７２）とを有するクラッチ装置において、
前記クラッチ手段のうちの少なくとも一つのクラッチ手段（６４、７２）、好ましくはより大きい有効な摩擦半径を有し場合によっては発進クラッチとして用いられる少なくとも一つのクラッチ手段（６４）がマルチプレートクラッチ手段（６４ないし７２）として構成されており、前記クラッチ手段のうちの、マルチプレートクラッチ手段として構成されていて且つ好ましくはより大きい有効な摩擦半径を有するクラッチ手段（６４）が、トルク伝達部材（６０）を介して当該クラッチ装置の入力側部、場合によってはクラッチ装置ハブ（３４）と、あるいは当該マルチプレートクラッチ手段の出力側部とトルク伝達結合状態にあり、且つ、前記トルク伝達部材（６０）が以下のような摩擦面、すなわち当該摩擦面に当該マルチプレートクラッチ手段のプレートパケット（７６）がクラッチ手段（６４）を連動状態にする過程にて押し付けられ得る摩擦面を有することを特徴とするクラッチ装置。
【請求項８】
前記トルク伝達部材（６０）が前記入力側部（３４）及び前記マルチプレートクラッチ手段（６４）のプレート担持体、場合によっては外側プレート担持体（６２）と回転固定に連結されていることを特徴とする、請求項７に記載のクラッチ装置。
【請求項９】
前記トルク伝達部材が、摩擦面として用いられる金属表面部分を備える所望の場合には壁状の金属部（６０）、場合によってはシートメタル部材であることを特徴とする、請求項７あるいは請求項８に記載のクラッチ装置。
【請求項１０】
前記トルク伝達部材が、摩擦面として用いられるシートメタル表面部分を備える所望の場合には壁状の金属部（６０）、場合によってはシートメタル部材であることを特徴とする、請求項７あるいは請求項８に記載のクラッチ装置。
【請求項１１】
前記トルク伝達部材が、摩擦面として用いられる焼結材料表面部分を備える所望の場合には壁状の金属部（６０）、場合によってはシートメタル部材であることを特徴とする、請求項７あるいは請求項８に記載のクラッチ装置。
【請求項１２】
前記摩擦面と摩擦係合させられ得る前記プレートパケットの端部プレートが、摩擦ライニングを担持するプレートであり、且つ前記プレートパケット（７６）の摩擦ライニングを担持する他のプレートとは異なる中間の摩擦半径を有することを特徴とする、請求項７〜１１のいずれか一項に記載のクラッチ装置。
【請求項１３】
前記端部プレートが、外側プレートであり、且つ前記プレートパケット（７６）の他の外側プレートよりもわずかな大きさで半径方向内側に向かって広がっていることを特徴とする、請求項１２に記載のクラッチ装置。
【請求項１４】
請求項１〜６の少なくとも一項に記載の特徴を備える請求項７〜１３のいずれか一項に記載のクラッチ装置。
【請求項１５】
動力車のパワートレーンにてパワーユニットとトランスミッションとの間に配設するための多重クラッチ装置、場合によってはダブルクラッチ装置（１２）にして、当該クラッチ装置（１２）が、前記パワーユニットと前記トランスミッションとの間のトルク伝達のために、前記トランスミッションの第一のトランスミッション入力軸（２２）に付設された第一のクラッチ手段（６４）と前記トランスミッションの第二のトランスミッション入力軸（２４）に付設された第二のクラッチ手段（７２）とを有するクラッチ装置において、
前記クラッチ手段のうちの少なくとも一つのクラッチ手段（６４、７２）、好ましくはより大きい有効な摩擦半径を有し場合によっては発進クラッチとして用いられる少なくとも一つのクラッチ手段（６４）が、マルチプレートクラッチ手段（６４ないし７２）として構成されており、且つ、
以下のようなプレートパケット（７６）、すなわち当該プレートパケットにて、当該クラッチ手段を連動状態にもたらすために互いに向き合って位置するプレートがそれぞれの摩擦面対にて相互の摩擦係合にもたらされ得るプレートパケットを有し、そのとき、当該プレートパケット（７６）にて、異なる有効な摩擦半径を有する複数の摩擦面対が設けられていることを特徴とするクラッチ装置。
【請求項１６】
前記プレートパケット（７６）に、半径方向に内側半径から外側半径まで広がる摩擦ライニングが設けられており、それらの摩擦ライニングが、異なる内側半径を有するか、異なる外側半径を有するか、あるいは異なる内側半径と外側半径を有することを特徴とする、請求項１５に記載のクラッチ装置。
【請求項１７】
前記プレートパケット（７６）に、半径方向に内側半径から外側半径まで広がる外側プレートが設けられており、それらの外側プレートが異なる内側半径を有することを特徴とする、請求項１６に記載のクラッチ装置。
【請求項１８】
前記プレートパケット（７６）に、半径方向に内側半径から外側半径まで広がる内側プレートが設けられており、それらの内側プレートが異なる外側半径を有することを特徴とする、請求項１６または請求項１７に記載のクラッチ装置。
【請求項１９】
前記プレートパケット（７６）に、摩擦ライニングなしのプレートが設けられており、それらのプレートが、それぞれ、一つの半径方向外側の半径方向領域及び一つの半径方向内側の半径方向領域を有する、そして、それらのプレートのうちの少なくとも一つ、好ましくは複数が、両側で、前記半径方向外側の半径方向領域でだけ隣のプレートの摩擦ライニングと摩擦係合させられ得る、あるいは／及び、それらのプレートのうちの少なくとも一つ、好ましくは複数が、両側で、前記半径方向内側の半径方向領域でだけ隣のプレートの摩擦ライニングと摩擦係合させられ得る、あるいは／及び、それらのプレートのうちの少なくとも一つ、好ましくは複数が、両側で、前記半径方向内側の半径方向領域でも前記半径方向外側の半径方向領域でも隣のプレートの摩擦ライニングと摩擦係合させられ得ることを特徴とする、請求項１５〜１８のいずれか一項に記載のクラッチ装置。
【請求項２０】
前記プレートパケット（７６）にて、少なくとも一つのプレートが一方では一つの隣接プレートと第一の半径方向領域で且つ他方では一つの隣接プレートと前記第一の半径方向領域とは明らかに異なった第二の半径方向領域で摩擦係合状態にされ得ることを特徴とする、請求項１５〜１９のいずれか一項に記載のクラッチ装置。
【請求項２１】
前記第一の半径方向領域が前記第二の半径方向領域よりもさらに半径方向外側に向かって広がっている、あるいは／且つ、前記第二の半径方向領域が前記第一の半径方向領域よりもさらに半径方向内側に向かって広がっていることを特徴とする、請求項２０に記載のクラッチ装置。
【請求項２２】
前記プレートパケット（７６）が、紙材料からなる摩擦ライニングを、あるいは焼結材料からなる摩擦ライニングを、あるいは紙材料からなる摩擦ライニング及び焼結材料からなる摩擦ライニングを有することを特徴とする、請求項１５〜２１のいずれか一項に記載のクラッチ装置。
【請求項２３】
請求項１〜１４の少なくとも一項に記載の特徴を備える請求項１５〜２２のいずれか一項に記載のクラッチ装置。
【請求項２４】
パワーユニットとトランスミッションとの間に配設された請求項１〜２３のいずれか一項に記載のクラッチ装置（１２）を備える動力車のためのパワートレーン（１０）。
【発明の詳細な説明】
【０００１】
【発明の属する技術分野】
本発明は、動力車（例えば自動車などの原動機付き車両・乗り物）のパワートレーン（動力伝達系列）にてパワーユニット（駆動ユニット、エンジン）とトランスミッションとの間に配設するための多重クラッチ装置、場合によってはダブルクラッチ装置にして、パワーユニットとトランスミッションとの間でのトルク（モーメント）伝達のために、トランスミッションの第一のトランスミッション入力軸に付設された第一のクラッチ手段とトランスミッションの第二のトランスミッション入力軸に付設された第二のクラッチ手段とを有するクラッチ装置に関する。
【０００２】
【従来の技術】
このようなクラッチ装置は、例えばヨーロッパ特許出願第０９３１９５１号公報(EP 0 931 951 A1)により知られている。当該クラッチ装置は、動力車の駆動装置を二つの有利には自動化されて操作される摩擦クラッチを介して多段式の変速機（マニュアルトランスミッション、Schaltgetriebe）とつなぐために用いられる。その際、これらの両方の摩擦クラッチのそれぞれには、それぞれ一つの連動解除システム（クラッチリリースシステム、Ausruecksystem）が付設されており、その結果、両方の摩擦クラッチが互いに独立に連動状態にもたらされ得る（すなわちクラッチがつながれ得る）、あるいは連動解除され得る（すなわちクラッチがきられ得る）。両方の摩擦クラッチのうちの一方の摩擦クラッチのクラッチディスクは、中央のトランスミッション入力軸に回転固定に（すなわち相対回転しないように）配置されており、一方で、もう一方の摩擦クラッチのクラッチディスクは、中空軸として構成されていて前記中央のトランスミッション入力軸を包み込んでいる第二のトランスミッション入力軸に回転固定に係合する。当該周知のダブルクラッチは、前記一方の摩擦クラッチの固定した押圧プレートを備えて内燃機関のフライホイールに配置されている。パワートレーンに当該ダブルクラッチを配置することは、この点では広範囲に、パワートレーンに複数の従来どおりの（シングル）摩擦クラッチを配置することに相当する。
【０００３】
はじめに述べた種類のダブルクラッチ装置（簡潔にダブルクラッチと呼ぶこともある）は、最近、多大な関心をもたれており、一般に、交互に（場合によっては部分的に重なりを有しても）切り替えられる二つのウエット作動（湿式）あるいはドライ作動（乾式）のクラッチからなる。特に多段式の変速機と関連して、このようなクラッチは、トランスミッションのそのときどきの二つのギア比（ギア段、Uebersetzungsstufen）の間のシフティング（ギアチェンジ、Schaltvorgaenge）を引張力遮断（トラクション遮断、推力遮断、Zugkraftunterbrechung）なしに行うことの可能性を提供する。
【０００４】
ダブルクラッチ装置は、原理的に、とりわけむずかしい、特にレーススポーツ（競走スポーツ）における通例の発進過程の場合に両方のクラッチを共通に付勢することの可能性を与える。このために、一方では、アクセルペダルが場合によってはストッパまで偏位させられ、他方で同時に動力車が最大の制動力を費やしながら、クラッチがその最適な伝達点に到達するまで本質的に静止状態に保たれることが可能である。当該最適な伝達点の到達の瞬間に制動作用（制動力）が解消されると、車両が最大の加速度で動き出す。このような発進過程は、比較的に弱い動力設備(Motorisierung)を備える動力車についても、つまりレーススポーツにおいてだけでなく、極端な発進条件のもとでも考慮に値する。例えば障害物のところでの発進のために考慮に値する。
【０００５】
上述の種類の発進過程は、明らかに、相応に高い熱発生を伴う大きなすべりを導く。この熱を発進クラッチとして用いられる摩擦クラッチの領域から運び去ることの問題が生じる。さらに、当該摩擦クラッチにおける対応する大きな損耗（磨損）を考慮に入れる必要がある。そのうえ、摩擦クラッチの加熱（温度上昇）は、摩擦クラッチの摩擦係数変化と平行して現れる。それによって、両方の摩擦クラッチの連動解除器（リリース装置、Ausruecker）の制御が、従って互いに対して相対的な両方の摩擦クラッチの制御が、明白に損なわれる可能性がある。互いに対しての両方の摩擦クラッチの機能調和についての熱によって引き起こされる不精確さないしは変動が、トランスミッション入力軸がシフティングの際に考慮にいれられていないトルク比（トルク状況、Momentenverhaeltnis）で付勢されることを導く可能性があるので、負荷のもとでの変速機におけるシフティングという事態になる可能性がある。それによって、変速機における同期化（同期調整）が過大な要求をされる可能性があり、その結果、効率に関してのどんな場合でも生じる不都合は全く問題にしなくても、最悪の場合には全損までの変速機の破損が結果として生じる。全体で見て、両方の摩擦クラッチの間での熱によってひきおこされる誤った調和（Fehlabstimmungen）が、引張力遮断なしの且つシフティングジョルト（切替ショック、Schaltrucke）なしの変速機におけるシフティングの際の問題のないトルク伝達を阻害している。
【０００６】
ダブルクラッチ装置の場合に同様に問題であるのは、傾斜に逆らって行われ、その際動力車の後ろへの転がり（後ろへ下がること、Zurueckrollen）が阻止される必要がある発進過程、あるいは例えば動力車を駐車余地(Parkluecke)に正確にポジショニングするために可能な限りわずかな速度で駐車するために用いられる発進過程である。これに該当する運転状態は、専門家の間では、「ヒルホルダ(Hillholder)」及び「クリープ(Kriechen)」というキーワードで知られている。発進クラッチとして用いられる摩擦クラッチが、部分的にアクセルペダルの操作なしに、かなり長い時間にわたってすべりを伴って作動させられることは、両方の発進過程に共通である。このような発進過程の際に、伝達されるべきトルクが、前述した主にレーススポーツで発生する運転条件の伝達されるべきトルクよりもはるかに低いところにあっても、それにもかかわらず、前に説明した問題を導く該当する摩擦クラッチの激しい加熱があるいはそれどころか両方の摩擦クラッチの激しい加熱さえも生じ得る。
【０００７】
摩擦熱のそれに応じた発生を伴うクラッチすべりの目的に合致した調整に基づくダブルクラッチトランスミッションのためのシフトストラテジー（切替方策、Schaltstrategien)及びシフト方法が提案された（ドイツ特許第１９６３１９８３号明細書(DE 196 31 983 C1)）。走行の仕方しだいでは、説明された種類の過熱問題は排除され得ない。
【０００８】
激しい温度上昇の危険は、ドライ作動の摩擦クラッチの場合にあるだけでなく、粘性のある作動媒体(Betriebsmedium)、例えば液圧液体(Hydraulikfluessigkeit)、の影響下で運転される、場合によってはマルチプレートクラッチの形での、いわゆる「ウエット作動（湿式）」の摩擦クラッチの場合にも発生し得る。例として、ドイツ特許出願公開第１９８００４９０号明細書(DE 198 00 490 A1)により知られている二つのマルチプレートクラッチを備える変速機を挙げることができる。この場合、二つのマルチプレートクラッチのうちの一方が前進走行のために、もう一方が後退走行のために用いられる。ドイツ特許出願公開第１９８００４９０号明細書は、主に、両方のマルチプレートクラッチが粘性のある作動媒体の使用のもとで十分に冷却され得るように取り組んでいる。液冷式(Fluessigkeitskuehlung)にもかかわらず、複数のマルチプレートクラッチの場合にも摩擦クラッチの温度上昇は重大な問題である。なぜならば、ふつう熱の搬出のために摩擦ライニング溝あるいはそのようなものを通って流れる作動媒体が随意の量でプレートの間を通り抜けて案内され得ないからである。なぜならば、一方では摩擦ライニング溝あるいはそのようなものの大きすぎる貫流が二つの隣接したプレートの摩擦面の間の逆圧（反対圧力、Gegendruck）を発生させるだろうからであり、且つそれによって摩擦クラッチのトルク伝達能力を低下させるだろう（その際、すべりの相応の上昇及びそれとともに摩擦熱の付加的な産出を伴い、それによって過熱の問題がさらに増大させられるだろう）からである。また、他方では、作動媒体がプレートの間の貫流の際に過熱させられてだめにされる可能性があるだろうからである。マルチプレートクラッチのところでの過熱は、連動解除の際に摩擦面がもはや完全に互いから離れず、それに応じて、それ自体は連動解除されているべきクラッチを介してなおトルクが伝達されるということを導く可能性がある。その結果、著しいドラグトルク(Schleppmomente)が付設された変速機に達する可能性がある。はじめに述べた種類の多重クラッチ装置、特にダブルクラッチ装置、にマルチプレートクラッチを使用する場合には、他方また、変速機における同期化の対応する過大な要求を伴う負荷のもとでの変速機におけるシフティングという事態になる可能性があるだろう。
【０００９】
不利な運転条件の場合の、例えば動力車の問題のある発進過程の際の摩擦クラッチの領域における過熱問題を掌握する一つの試みは、ポンプホイール（インペラ、Pumpenrad）、タービンホイール(Turbinenrad)を備えており並びに所望の場合にはステータ(Leitrad)を備えている流体力学的な回路をもっているいわゆる流体継手（ハイドロクラッチ、Hydrokupplung）あるいは流体力学的カップリング（流体力学的クラッチ、hydrodynamische Kupplung）の形での、第一のクラッチ手段及び第二のクラッチ手段に対して追加の発進エレメントを設けることである。当該発進エレメントは、両方の摩擦クラッチのうちの一つに並列に接続されているとよい。つまり、この摩擦クラッチの連動させられた状態（つながれた状態）に独立して共通のトランスミッション入力軸に作用する。二つのマルチプレートクラッチとこのような発進エレメントとが統合されているクラッチ装置は、１９９９年９月３０日に出願された本出願人のドイツ特許出願第１９９４６８５７．５号明細書に記載されている。当該明細書の開示内容は本願の開示内容に取り入れられる。
【００１０】
ダブルクラッチ装置との関連での本出願人の研究の枠内では、一般的に、ウエット作動のクラッチの場合には緊密さ（密封）の問題とパワーロスに関連した問題とがあることが判明した。さらに、これまでに知られたコンセプトに基づいて自由になる軸方向の及び半径方向の構造空間に関しての制約（境界条件、Randbedingungen）を守ることができないだろう、あるいは守るのが困難であるだろうということが判明した。クラッチ装置に統合されたピストンにより操作される複数のクラッチ、場合によってはダイアフラムクラッチ、の場合には、特に当該ピストンに付設されたピストン室の配置が問題をはらんでいることが明らかになった。
【００１１】
【発明が解決しようとする課題】
本発明は、前述のあるいは／及び他の問題のうちの少なくとも一つに関して改善を達成しようと試みる。
【００１２】
【課題を解決するための手段】
クラッチ装置における摩擦熱の発生に関連しての論じられた問題を考慮して、本発明の（第一の）観点（特徴）により、動力車のパワートレーンにおいてパワーユニットとトランスミッションとの間に配設するための多重クラッチ装置、場合によってはダブルクラッチ装置にして、パワーユニットとトランスミッションとの間のトルク伝達のためにトランスミッションの第一のトランスミッション入力軸に付設された第一のクラッチ手段とトランスミッションの第二のトランスミッション入力軸に付設された第二のクラッチ手段とを有するクラッチ装置ついて、前記クラッチ手段のうちの少なくとも一つが、好ましくはより大きい有効な摩擦半径を有する場合によっては発進クラッチとして用いられる少なくとも一つのクラッチ手段が、マルチプレートクラッチ手段として構成されていることが提案される。これに関連して、さらに、当該マルチプレートクラッチ手段のプレートパケットにおいて少なくとも一つの摩擦ライニングを有するプレートが摩擦ライニングを有さないプレートと摩擦係合させられ得ること、その際、摩擦ライニングを有さないプレートのうちの少なくとも一つが、少なくとも一つの摩擦ライニングを有する隣接しているプレートの摩擦ライニング担持エレメントよりも軸方向について厚いことが提案される。この提案の背景は以下のような認識である。すなわち、プレートのうちの少なくともいくつかが、例えば場合によっては考慮に入れられている冷却流動体を用いての熱搬出可能性に関してかなり多くの作動状況で過度に生じる摩擦熱を一時蓄積する「中間蓄熱器」として使用され、且つそのときこの一時蓄積された熱が後の時点ではじめて、このマルチプレートクラッチ手段において摩擦熱が生じないときあるいはもはやわずかにしか摩擦熱が生じないときに、運びさられることが可能であるという認識である。そのとき、はじめに論じた問題を導く可能性があるクラッチ手段の過熱状態は、回避され得る、あるいは少なくともそれの影響を抑制され得る。高い「蓄熱器能力(Waermespeicherfaehigkeit)」に関して、軸方向により厚いプレートを高い熱容量をもつ材料で、例えば鋼で作ることが有利である。
【００１３】
本発明のこの観点に密接に関連して、本発明の別の（第二の）観点により、動力車のパワートレーンにおいてパワーユニットとトランスミッションとの間に配設するための多重クラッチ装置、場合によってはダブルクラッチ装置にして、パワーユニットとトランスミッションとの間のトルク伝達のためにトランスミッションの第一のトランスミッション入力軸に付設された第一のクラッチ手段とトランスミッションの第二のトランスミッション入力軸に付設された第二のクラッチ手段とを有するクラッチ装置ついて、以下のことが提案される。すなわち、前記クラッチ手段のうちの少なくとも一つが、好ましくはより大きい有効な摩擦半径を有する場合によっては発進クラッチに用いられる少なくとも一つのクラッチ手段がマルチプレートクラッチ手段として構成されていること、並びに、当該マルチプレートクラッチ手段のプレートパケットにおいて、焼結材料からなる少なくとも一つの摩擦ライニングを有する少なくとも一つのプレートと別の摩擦ライニング材料からなる少なくとも一つの摩擦ライニングを有する少なくとも一つのプレートとが設けられており、その際、当該別の摩擦ライニング材料がすべり回転数に対しての累進性の摩擦係数推移を有することが提案される。この第二の観点に係る措置が第一の観点に係る前述の措置と組み合わされている。
【００１４】
第二の観点に係る措置の背景は、焼結材料製の摩擦ライニングが別の材料からなる摩擦ライニングよりも明らかによく熱を伝えるということである。その理由で、焼結材料製の摩擦ライニングを使用すると、焼結材料ライニングを担持する摩擦ライニング担持エレメントも説明された意味での「蓄熱器」として利用できるようにすることが可能である。その理由で、すべての摩擦ライニングを焼結材料からつくることが最適であるだろうと期待されるだろう。しかし、マルチプレートクラッチ手段のそのような構成はパワートレーンの望ましくないねじり振動を促進するということがわかった。これは、焼結材料摩擦ライニングがすべり回転数に対して逓減する摩擦係数推移をもつからである。つまり、より大きいすべり回転数に対して低下する摩擦係数（ｄμ／ｄΔN＜０）を示すからである。その理由で、本発明では、プレートパケットが、すべり回転数に対して累進性の摩擦係数推移を有する別の摩擦ライニング材料からなる少なくとも一つの摩擦ライニングを有する。つまりこの場合には摩擦係数がより大きくなるすべり回転数に対して増大する（ｄμ／ｄΔN＞０）。パワートレーンのねじり振動の自励を妨げるために、あるいはパワートレーンのねじり振動を減衰させるために、あるいはこれら両方のために、好ましくは、すべり回転数に対してのプレートパケットの摩擦係数推移が全体で累進性にあるいは少なくともほぼ中立に調整される。
【００１５】
焼結材料性の少なくとも一つの摩擦ライニングを担持するそれぞれの摩擦ライニング担持エレメントに関して、可能な限り高い「蓄熱器能力」を考慮して、この摩擦ライニング担持エレメントが高い熱容量をもつ材料から、場合によっては鋼から作られていることが、あるいは、この摩擦ライニング担持エレメントが前記別の摩擦ライニング材料からなる少なくとも一つの摩擦ライニングを担持する摩擦ライニング担持エレメントよりも軸方向について厚いことが、あるいはこれら両方を満たすことが提案される。前記別の摩擦ライニング材料としては、例えばクラッチ構造の場合に一般的であるとわかっている比較的に強い累進性の摩擦係数推移を示す紙材料が考えられ得る。
【００１６】
可能な限り大きい「中間蓄熱器」（可能な限り大きい熱容量）を与えることを考慮して、本発明の第三の観点により、動力車のパワートレーンにおいてパワーユニットとトランスミッションとの間に配設するための多重クラッチ装置、場合によってはダブルクラッチ装置にして、パワーユニットとトランスミッションとの間のトルク伝達のためにトランスミッションの第一のトランスミッション入力軸に付設された第一のクラッチ手段とトランスミッションの第二のトランスミッション入力軸に付設された第二のクラッチ手段とを有するクラッチ装置について、以下のことが提案される。すなわち、前記クラッチ手段のうちの少なくとも一つが、好ましくはより大きい有効な摩擦半径を有する場合によっては発進クラッチとして用いられる少なくとも一つのクラッチ手段が、マルチプレートクラッチ手段として構成されており、その際、マルチプレートクラッチ手段として構成されており且つ好ましくはより大きい有効な摩擦半径を有する前記クラッチ手段のうちの一つがトルク伝達部材を介してクラッチ装置の入力側部、場合によってはクラッチ装置ハブと、あるいは当該マルチプレートクラッチ手段の出力側部と、トルク伝達結合状態にある、またその際、当該トルク伝達部材が摩擦面を有し、当該摩擦面に当該マルチプレートクラッチ手段のプレートパケットが当該クラッチ手段の連動状態をもたらす過程で押し付けられ得る、ということが提案される。
【００１７】
前記トルク伝達部材は、通例、個々のプレートよりもはるかに大きな質量を有するだろう、そしてそれに応じて大きな熱容量を提供することができる。その理由で、前記トルク伝達部材は、かなり多くの作動状況で熱搬出可能性に関して過度に生じる可能性があるだろう摩擦熱を、この熱がそれから後の時点で運び去られるまで一時蓄積するのにとりわけよく適している。それによって、もっぱらそれだけであるいは本発明の第一及び第二の観点に係る措置と結び付いて、クラッチ手段の過熱状態が回避され得る、あるいは少なくともその影響に関してよく抑制され得る。
【００１８】
前記トルク伝達部材は、マルチプレートクラッチ手段のプレート担持体、場合によっては外側プレート担持体、及び前記入力側部と回転固定に（すなわち相対回転しないように）連結されている。摩擦面として用いられる金属表面部分あるいはプレート表面部分（シートメタル表面部分）を有する所望の場合には壁状の金属部材、場合によってはプレート部材（シートメタル部材）を考えるとよい。前記トルク伝達部材が摩擦ライニングを備えていることを念頭におくこともできるだろう。この場合には、蓄熱のためにトルク伝達部材の熱容量を利用できるようにすることを考慮して、よく熱を伝える摩擦ライニング材料が使用される必要があるだろう。例えば上述された焼結材料が使用される必要があるだろう。そのとき摩擦面として焼結材料表面部分が用いられる。（すなわち、言い換えれば、トルク伝達部材が、摩擦面として用いられる金属表面部分あるいはプレート表面部分（シートメタル表面部分）あるいは焼結材料表面部分を備える所望の場合には壁状の金属部（６０）、場合によってはプレート部材（シートメタル部材）である。）
【００１９】
クラッチ装置の軸方向及び半径方向にコンパクトな構成を考慮して、前記トルク伝達部材が横断面において曲げられて作られていること及び場合によってはプレートパケットの摩擦面よりも半径方向に短い摩擦面しか設けられていないことが必要であるだろう。このことは、当該摩擦面と摩擦係合させられ得るプレートがライニングを担持しているプレート、例えば紙プレート、であり且つこれが半径方向にトルク伝達部材の摩擦面を越えて張りだしているときに問題をひきおこす可能性がある。均一でない面圧力（面加圧）（通例プレートは厚すぎて、均一な面圧力を保証するのに十分にフレキシブルでない）に基づいて、いわゆる「ライニング分裂(Belagspaltung)」という事態になる可能性がある。ここで対策を講じるために、プレートパケットの当該摩擦面と摩擦設備にされ得る該当するプレート（このプレートは端部プレートと呼ばれ得る）が、それが摩擦ライニングを担持しているプレートであるときに当該プレートパケットの摩擦ライニングを担持している他のプレートとは異なる中間の摩擦半径を有することが提案される。当該端部プレートは、例えば外側プレートであって且つ当該プレートパケットの他の外側プレートよりも小さい大きさでしか半径方向内側に向かって広がっていない、すなわちこれがトルク伝達部材の摩擦面の半径方向寸法を考慮して均一な面圧力を考慮して有効であるような大きさで半径方向内側に向かって広がっているとよい。同じ種類の当該プレートパケットの残りのプレートは、つまり例えば残りの外側プレートは、より大きい半径方向寸法を有するとよい。なぜならば、当該プレートパケットにおける前記端部プレートの次の摩擦ライニングなしのプレートがプレート間の押圧力をより大きな半径方向領域に分散させることが可能であり且つ均一な面圧力のためのより大きな半径方向領域をもたらし得るからである。
【００２５】
本発明の第四の観点により、動力車のパワートレーンにおいてパワーユニットとトランスミッションとの間に配設するための多重クラッチ装置、場合によってはダブルクラッチ装置にして、パワーユニットとトランスミッションとのトルク伝達のためにトランスミッションの第一のトランスミッション入力軸に付設された第一のクラッチ手段とトランスミッションの第二のトランスミッション入力軸に付設された第二のクラッチ手段とを有するクラッチ装置ついて、以下のことが提案される。すなわち、前記クラッチ手段のうちの少なくとも一つが、好ましくはより大きい有効な摩擦半径を有する場合によっては発進クラッチとして用いられる少なくとも一つのクラッチ手段が、マルチプレートクラッチ手段として構成されており且つプレートパケットを有し、当該プレートパケットにおいて当該クラッチ手段を連動状態にもたらすために互いに向き合って位置しているプレートがそれぞれの摩擦面対にて相互の摩擦係合状態にもたらされ得ることが提案される。当該プレートパケットにおいて面圧力を一様にすることに目を向けてあるいは／及びライニング分裂等を防止することに目を向けて、当該プレートパケットにおいて、それらの有効な摩擦半径に関して明らかに異なっている複数の摩擦面対が設けられている（「あるいは／且つ」、「あるいは／及び」なる表現は、「どちらか一方または両方」ということを意味する）。当該プレートパケットにおいて、例えば、半径方向に内側半径から外側半径まで広がる摩擦ライニングが設けられており、当該摩擦ライニングがそれらの内側半径に関してあるいは外側半径に関してあるいは内側半径及び外側半径に関して明らかに異なっていることが可能である。例えば、プレートパケットにおいて、異なる内側半径を有する、半径方向に内側半径から外側半径まで広がる外側プレートが設けられていることが念頭におかれる。さらに、例えば、当該プレートパケットにおいて、異なる外側半径を有する、半径方向に内側半径から外側半径まで広がっている内側プレートが設けられていることが念頭におかれる。
【００２６】
面圧力を一様（均一）にするために、前記プレートパケットにおいて摩擦ライニングなしのプレートが設けられており、それらがそれぞれ半径方向外側の半径方向領域と半径方向内側の半径領域とを有し、また、それらのうちの少なくとも一つが、好ましくは複数が、両側で半径方向外側の半径方向領域でだけ隣のプレートの摩擦ライニングと摩擦係合させられ得る、あるいは／且つそれらのうちの少なくとも一つが、好ましくは複数が、両側で半径方向内側の半径方向領域でだけ隣のプレートの摩擦ライニングと摩擦係合させられ得る、あるいは／且つそれらのうちの少なくとも一つが、好ましくは複数が、両側で、半径方向内側の半径方向領域でも半径方向外側の半径方向領域でも隣のプレートの摩擦ライニングと摩擦係合させられ得ると、きわめて有利であるだろう。その際、当該プレートパケットにおいて、摩擦ライニング面圧力が一様（均等）にされているようにあるいは／及び隣のプレートにおいて摩擦熱を利用して、より一様でない摩擦ライニング面圧力を導くプレートの変形を妨げる温度プロフィール(Temperaturprofil)が半径方向において生じ得るように、少なくとも一つの摩擦ライニングが隣のプレートに付設されており且つこれに関して半径方向にポジショニングされていることが可能である。
【００２７】
この措置の背景は、ふつう、半径方向高さに沿っての摩擦ライニングなしのプレート、例えばスチールプレートの非一様な冷却という事態になるだろうということである。このことは、プレートパケットにおける均一でない面圧力を生じる危険をともなうプレートの変形（いわゆる「皿状化(Tellern)」）を導く可能性がある。このことは、結果として均一でない圧力に基づくライニング分裂の危険をともなう。決められた半径方向領域において摩擦ライニングなしのプレートを目的に合致して暖めることをもたらすことによってプレートの変形に影響を及ぼすことが可能であり、それによってプレートの望まれていない変形が妨げられる、あるいはこれが緩和される、あるいは面圧力を均一にすることを考慮してのそれ自体は望まれていない他のプレートの変形が補償（補整）される。例えば、プレートパケットの軸方向の膨張（拡大）に沿って交互に摩擦ライニングなしのプレートを半径方向外側の半径方向領域でだけ及び半径方向内側の半径方向領域でだけ摩擦係合させ、そしてそれに応じて局部的に暖めることが可能であるだろう。しかしながら、しばしば、唯一つのあるいはわずかなプレートだけを半径方向内側でだけあるいは半径方向外側でだけ摩擦係合させて暖めるだけでも十分であるだろう。なぜならば、プレートの暖められない領域が、結果として生じる温度プロフィールに起因するプレートにおいて作用する内的な力に基づいて、プレートの変形に反対に作用するからである。
【００２８】
これに関連して、通例、プレートパケットにおいて少なくとも一つのプレートが一方では第一の半径方向領域にて隣接プレートと且つ他方では第一の半径方向領域から明らかに異なる第二の半径方向領域にて隣接プレートと摩擦係合状態にされ得ることが合目的であるだろう。第一の半径方向領域は、第二の半径方向領域よりもずっと半径方向外側に向かって広がっているとよい。さらに、第二の半径方向領域は、第一の半径方向領域よりもずっと半径方向内側に向かって広がっているとよい。当該プレートパケットは、紙材料製の摩擦ライニングを、あるいは焼結材料製の摩擦ライニングを、あるいは紙材料製の摩擦ライニング及び焼結材料製の摩擦ライニングを有し得る。焼結材料製の摩擦ライニングは、上述したようにこの材料が比較的によく熱を伝え、その結果、該当するプレート担持体が中間蓄熱器として用いられ得るという点で、また、過度の変形を伴うプレートの過熱を妨げるという点で有利である。
【００２９】
本発明のさまざまな観点との関連で述べられた多重クラッチ装置ないしはパワートレーンの特徴的構成は、有利には組み合わされ得る。当業者は、本発明の別の独立な観点を前の説明及び図の記載から読み取ることができる。
【００３０】
本発明は、さらに、パワーユニットとトランスミッションとの間に配設された本発明の少なくとも一つの観点に係るクラッチ装置を備える動力車のためのパワートレーンに関する。
【００３１】
【発明の実施の形態】
次に、本発明を図に示された実施例をもとにして詳細に説明する。
図１は、動力車のパワートレーンにおいてトランスミッションとパワーユニットとの間に配置された、二つのマルチプレートクラッチ手段を備えるダブルクラッチを一部を切断した図示で示す。
図２〜１４は、図１のダブルクラッチの変形例を図１に相当する図示で示す。
【００３２】
図１は、パワートレーン（動力伝達系列、Antriebsstrang）１０においてパワーユニット（駆動ユニット、エンジン、Antriebseinheit）とトランスミッションとの間に配置されたダブルクラッチ（二重クラッチ）１２を示す。図１では、パワーユニット、例えば内燃機関、のうち、不図示のねじり振動ダンパ（ねじり振動減衰装置、Torsionsschwingungsdaempfer）の連結のために用いられる連結端部(Koppelende)１６を備える出力軸１４、場合によってはクランクシャフト１４、だけが示されている。トランスミッションは、図１では、トランスミッションベルハウジング（例えばベル形状のトランスミッションハウジング、Getriebegehaeuseglocke）１８を画成するトランスミッションハウジング部分２０と二つのトランスミッション入力軸２２及び２４によって代表されている。これらのトランスミッション入力軸は両方とも中空軸として構成されている。その際、トランスミッション入力軸２２は、トランスミッション入力軸２４に対して本質的に同軸にこれを貫いて延在している。トランスミッション入力軸２２の内部には、あとで詳しく説明されるように図１には示されていないトランスミッション側のオイルポンプ（潤滑ポンプ）の駆動のために用いられるポンプ駆動軸(Pumpenantriebswelle)が配置されている。
【００３３】
ダブルクラッチ１２は、トランスミッションベルハウジング１８内に収容されている。その際、ベルハウジング内部空間はパワーユニットに向かっての方向において蓋体２８によって閉鎖されている。当該蓋体は、ベルハウジング開口部に押し込まれている、あるいはそこで止め輪（スナップリング）３０によって動かないように固定されている、あるいはベルハウジング開口部に押し込まれて且つそこで止め輪３０によって動かないように固定されている。図１に示された実施例のようにダブルクラッチがウエット作動（湿式）の摩擦クラッチ、例えばダイアフラムクラッチ、を有するならば、通例、例えばＯリングあるいはその他のシールリングを用いて作り出されていることが可能である蓋体２８とトランスミッションベルハウジング１８によって形成されたクラッチハウジングとの間の密封係合をもたらすことが適切である。図１では、二つのシーリングリップ(Dichtlippen)を備えるシールリング３２が示されている。
【００３４】
ダブルクラッチ１２の入力側部としてクラッチハブ３４が用いられる。当該クラッチハブは、後に詳しく説明する理由で、二つの互いに動かないように固定されたリング状部分３６、３８からなる。クラッチハブ３４は、蓋体２８の中央の開口部を通ってパワーユニットの方へ延在しており、外側かみ合わせ部（外側歯切り部）４２によって不図示のねじり振動ダンパと連結されている。その結果、これを介してクランクシャフト１４の連結端部１６とクラッチハブ３４との間のトルク伝達結合が構成されている。パワートレーンにおけるこの場所にあるいはどこにもねじり振動ダンパを設けたくないならば、クラッチハブ３４が直接に連結端部１６と連結されてもよい。ポンプ駆動軸２６は、それのトランスミッションから遠いほうの端部に外側かみ合わせ部４４を有し、当該外側かみ合わせ部がクラッチハブ３４のリング状部分３６の内側かみ合わせ部（内側歯切り部）４６にかみ合う。その結果、クラッチハブ３４が回転運動を与えられる、ごくふつうの場合パワーユニットから、また多くの運転状況において（例えば「エンジンブレーキ(Motorbremse)」というキーワードによって特徴づけられる運転状況において）場合によっては起こり得るようにトランスミッションからダブルクラッチを介しても回転運動を与えられると、ポンプ駆動軸２６がクラッチハブ３４といっしょに回転し且つそれに応じてオイルポンプを駆動する。
【００３５】
蓋体２８は、半径方向において、ベルハウジング１８の半径方向凹所５０を画成するベルハウジング１８のリング形状の周囲壁部分とハブ３４のリング状部分３８との間に広がっている。その際、蓋体２８の半径方向内側の壁領域５２とハブ３４、特にリング状部分３８との間にシールあるいは／兼ピボットベアリング装置（シールあるいは／兼回転軸受装置、Dichtungs- oder/und Drehlageranordnung、すなわち、シールとしてあるいはピボットベアリングとしてあるいはシール兼ピボットベアリングとして働く装置）５４が設けられていると有利である。それはとりわけ（図示された実施例の場合のように）蓋体２８がベルハウジング１８に動かないように固定されており且つそれに応じてダブルクラッチ１２と一緒に回転しないときに有利である。特に実施例の場合のようにダブルクラッチのクラッチ手段がウエット作動のクラッチであるときに、蓋体とハブとの間のシール（密封）が必要である。シールあるいは／兼ピボットベアリング装置５４が軸方向について蓋体２８にあるいはクラッチハブ３４にあるいは蓋体及びクラッチハブに固定されているとき、例えば図１において認識できるように蓋体縁部５２の半径方向内側に向かって曲げられている端部分によって固定されているとき、振動及びバイブレーションが発生する場合にも高い作動信頼性(Betriebssicherheit）が達成される。
【００３６】
ハブ３４のリング状部分３８には、キャリアプレート（支持シートメタル、Traegerblech）６０が回転固定に（すなわち相対回転しないように）取り付けられており、当該キャリアプレートがハブ３４と第一のマルチプレートクラッチ手段６４の外側プレート担持体６２との間のトルク伝達のために用いられる。外側プレート担持体６２は、トランスミッションの方へ且つ半径方向内側に向かってリング部材６６の方へ延在する。当該リング部材に前記外側プレート担持体が回転固定に取り付けられている。当該リング部材は軸方向兼半径方向支持装置（軸方向兼半径方向軸受装置、スラスト兼ラジアルベアリング装置）６８を用いて両方のトランスミッション入力軸２２及び２４に、半径方向の力も軸方向の力もトランスミッション入力軸に支えられるように装着（支持、軸受け）されている。軸方向兼半径方向支持装置６８は、リング部材６６とトランスミッション入力軸２２との間の相対回転もリング部材６６とトランスミッション入力軸２４との間の相対回転も可能にする。軸方向兼半径方向支持装置の構造及び機能の仕方（作用）には、後にさらに詳しく立ち入る。
【００３７】
リング部材６６には、軸方向にてさらにパワーユニットの方に第二のマルチプレートクラッチ手段７２の外側プレート担持体７０が回転固定に取り付けられている。当該第二のマルチプレートクラッチ手段のプレートパケット（プレートパッケージ）７４は第一のマルチプレートクラッチ手段のプレートパケット７６によってリング状に取り囲まれる。両方の外側プレート担持体６２及び７０は、すでに示唆したように、リング部材６６によって互いに回転固定に結合させられており、外側かみ合わせ部によって外側プレート担持体６２と形状拘束的な（ポジティブ結合による、あそびのない）トルク伝達係合状態にあるキャリアプレート６０を介してクラッチハブ３４と、従って（不図示のねじり振動ダンパを介して）パワーユニットのクランクシャフト１４と共通にトルク伝達結合状態にある。パワーユニットからトランスミッションへの通常のトルクの流れに関しては、外側プレート担持体６２及び７０がそれぞれマルチプレートクラッチ手段６４ないし７２の入力側部として用いられる。
【００３８】
トランスミッション入力軸２２には、キー溝かみ合わせ部（スプラインかみ合わせ部、Keilnutenverzahnung）あるいはそのようなものを用いて第一のマルチプレートクラッチ手段６４の内側プレート担持体８２のハブ部８０が回転固定に配設されている。対応して、半径方向外側のトランスミッション入力軸２４にキー溝かみ合わせ部あるいはそのようなものを用いて第二のマルチプレートクラッチ手段７２の内側プレート担持体８６のハブ部８４が回転固定に配設されている。パワーユニットからトランスミッションの方へのふつうのトルク（モーメント）の流れに関しては、内側プレート担持体８２及び８６が第一のないしは第二のマルチプレートクラッチ手段６４ないし７２の出力側部として用いられる。
【００３９】
もう一度トランスミッション入力軸２２及び２４におけるリング部材６６の半径方向及び軸方向の支持（軸受け）について述べる。リング部材６６の半径方向の支持のために、半径方向外側のトランスミッション入力軸２４とリング部材６６との間で効力のある二つの半径方向支持組立体（半径方向軸受組立体、ラジアルベアリングサブアセンブリ、Radial-Lagerbaugruppen)９０及び９２が用いられる。リング部材６６の軸方向の支持は、パワーユニットの方への方向における支えに関してハブ部８４、スラストベアリング９４、ハブ部８０、及びハブ部８０を半径方向内側のトランスミッション入力軸２２に軸方向について固定する止め輪（スナップリング）９６によって行われる。他方また、クラッチハブ３４のリング状部分３８が、スラストベアリング９８及びラジアルベアリング１００を介してハブ部８０に支持されている。トランスミッションの方への方向において、ハブ部８０はスラストベアリング９４を介して半径方向外側のトランスミッション入力軸２４の端部分に軸方向について支えられている。ハブ部８４は、直接にリング状ストッパ等あるいは別個の止め輪等にてトランスミッションの方への方向においてトランスミッション入力軸２４に支えられていてもよい。ハブ部８４とリング部材６６とは互いに対して相対的に回転可能であるので、軸受９２がスラストベアリング機能もラジアルベアリング機能ももっているのでないならば、ハブ部８４とリング部材６６との間にはスラストベアリングが設けられているとよい。図１における実施例に関しては、軸受９２がスラストベアリング機能もラジアルベアリング機能ももっていることを出発点とする。
【００４０】
図示された実施例の場合のように外側プレート担持体６２及び７０の半径方向に延在する部分がダブルクラッチ１２の軸心Ａに対して垂直に広がる半径方向平面（放射方向平面）の軸方向の一方の側に配置されており且つ両方のマルチプレートクラッチ手段の内側プレート担持体８２及び８６の半径方向に延在する部分がこの半径方向平面の軸方向のもう一方の側に配置されているときに大きな利点が生じる。これによって、とりわけコンパクトな構造が可能になる。特に（図示された実施例の場合のように）一方の種類のプレート担持体（外側プレート担持体あるいは内側プレート担持体、実施例の場合には外側プレート担持体）が互いに回転固定に結合されており且つパワーユニットからトランスミッションへの力の流れに関してそれぞれ該当するマルチプレートクラッチ手段の入力側部として用いられるときにとりわけコンパクトな構造が可能になる。
【００４１】
ダブルクラッチ１２には、マルチプレートクラッチ手段の操作のための操作ピストンが統合されている。図示された実施例の場合には、連動状態にもたらす（すなわち、クラッチをつなぐ）意味でのマルチプレートクラッチ手段の操作のための操作ピストンが統合されている。第一のマルチプレートクラッチ手段６４に付設された操作ピストン１１０は、軸方向において第一のマルチプレートクラッチ手段６４の外側プレート担持体６２の半径方向に延在する部分と第二のマルチプレートクラッチ手段７２の外側プレート担持体７０の半径方向に延在する部分との間に配設されており、両方の外側プレート担持体に並びにリング部材６６に、パッキング１１２、１１４、１１６を用いて、軸方向に移動可能に且つ外側プレート担持体６２と操作ピストン１１０との間に形成された圧力室１１８並びに操作ピストン１１０と外側プレート担持体７０との間に形成された遠心力・圧力補償室（遠心力・圧力平衡室）１２０をシール（密閉）するようにガイドされている。圧力室１１８は、リング部材６６に形成された圧力媒体路（圧力媒体ダクト）１２２を介して、圧力媒体供給装置（ここでは、すでに述べたオイルポンプ）に接続された圧力制御装置、場合によっては制御弁、と連通状態にある。その際、圧力媒体路１２２は、リング部材６６を収容する場合によってはトランスミッションに固定された接続スリーブを介して前記圧力制御装置に接続されている。リング部材６６について、この関連で以下のことにふれる必要がある。すなわち、これは、特に圧力媒体路１２２並びに別の圧力媒体路に関してのより簡単な製造可能性のために、図１において暗示されているように二つの互いにはめこまれたスリーブ状のリング部材部分を有して二つの部分から作り出されているということである。
【００４２】
第二のマルチプレートクラッチ手段７２に付設された操作ピストン１３０は、軸方向において、第二のマルチプレートクラッチ手段７２の外側プレート担持体７０と本質的に半径方向に延在し且つリング部材６６のトランスミッションから遠いほうの軸方向の端部領域に回転固定且つ液密に取り付けられた壁部材１３２との間に配設されており、またパッキング１３４、１３６、及び１３８を用いて外側プレート担持体７０、壁部材１３２、及びリング部材６６に、軸方向に移動可能に且つ外側プレート担持体７０と操作ピストン１３０との間に形成された圧力室１４０並びに操作ピストン１３０と壁部材１３２との間に形成された遠心力・圧力補償室（遠心力・圧力平衡室）１４２をシールするようにガイドされている。圧力室１４０は、（すでに言及された）別の圧力媒体路１４４を介して圧力室１１８と対応した方法で圧力制御装置（場合によって前述のものと同一の圧力制御装置でもよいし別の圧力制御装置でもよい）に接続されている。第一のマルチプレートクラッチ手段６４を、あるいは第二のマルチプレートクラッチ手段７２を、あるいは第一及び第二のマルチプレートクラッチ手段を連動状態にもたらす方向に操作するために、前記一つまたは複数の圧力制御装置を用いて、両方の圧力室１１８及び１４０に選択によって（場合によっては同時にも）圧力媒体源（ここではオイルポンプ）から調達された圧力が与えられ得る。元に戻す（復元させる）ために、つまりクラッチを連動解除する（クラッチをきる）ために、ダイアフラムスプリング１４６、１４８が用いられる。これらのうちの操作ピストン１３０に付設されたダイアフラムスプリング１４８は、遠心力・圧力補償室１４２内に収容されている。
【００４３】
圧力室１１８及び１４０は、いずれにせよダブルクラッチ１２の通常の作動状態のあいだずっと、完全に圧力媒体（ここでは作動オイル（油圧オイル））で満たされており、マルチプレートクラッチ手段の操作状態はそれ自体圧力室に与えられた圧力媒体圧力に依存する。しかしリング部材６６及び操作ピストン１１０及び１３０並びに壁部材１３２ともども外側プレート担持体６２及び７０が、走行作動中にクランクシャフト１４と一緒に回転するので、圧力制御装置の側からの圧力室１１８及び１４０への圧力付与なしにも、圧力室における遠心力によりひきおこされる圧力増大という事態になる。それは、少なくとも比較的大きな回転数の場合にマルチプレートクラッチ手段の故意でない連動あるいは少なくともドラッグ（ひきずり、半クラッチ状態）を導く可能性があるだろう。この理由から、すでに述べた遠心力・圧力補償室１２０、１４２が設けられている。当該遠心力・圧力補償室は、圧力補償媒体を受け入れる。また、当該遠心力・圧力補償室において、対応して、遠心力によりひきおこされる圧力増大という事態になる。それが、圧力室において発生する遠心力により引き起こされる圧力増大を補償（相殺）する。
【００４４】
遠心力・圧力補償室１２０及び１４２を持続的に（永久的に、パーマネントに）圧力補償媒体、例えばオイル、で満たすことを念頭においてもよいだろう。その際、場合によっては操作ピストンの操作の経過において押しのけられる圧力補償媒体の受け入れのための体積補償部を設けるとよいだろう。図１に示された実施形態では、遠心力・圧力補償室１２０、１４２がそれぞれはじめにパワートレーンの作動中に圧力補償媒体で満たされる。くわしく言うと、リング部材６６と外側のトランスミッション入力軸２４との間に形成されたリング状通路（リング状ダクト）１５０を介してのマルチプレートクラッチ手段６４及び７２への冷却流動体（図示された実施例の場合には特に冷却オイル）の供給と関連して圧力補償媒体で満たされる。前記リング状ダクトには、冷却オイルについて透過させる軸受９０、９２が組み込まれている必要がある。冷却オイルは、リング部材とトランスミッション入力軸２４との間のトランスミッション側の接続部からパワーユニットの方への方向に軸受９０及び軸受９２を通り抜けて流れ、それから一つの部分流でリング部材６６のトランスミッションから遠いほうの端部分とハブ部８４との間で半径方向外側へ向かって第二のマルチプレートクラッチ手段７２のプレートパケット７４の方へ流れ、内側プレート担持体８６における通路開口部（貫通口）に基づいてプレートの領域へ入り、プレートパケット７４のプレートの間をないしはこれらのプレートの摩擦ライニング溝あるいはそのようなものを通って半径方向外側へ向かって流れ、外側プレート担持体７０における通路開口部（貫通口）及び内側プレート担持体８２における通路開口部（貫通口）を通って第一のマルチプレートクラッチ手段６４のプレートパケット７６の領域へ入り、このプレートパケットのプレートの間をないしこれらのプレートのライニング溝あるいはそのようなものを通って半径方向外側へ向かって流れ、それから最終的に外側プレート担持体６２における通路開口部（貫通口）を通って半径方向外側へ向かって流れ出る。リング部材６６とトランスミッション入力軸２４との間の冷却オイル供給流動部には、遠心力・圧力補償室１２０、１４２も接続されている。詳しく言えば、リング部材６６における半径方向孔（放射方向孔）１５２、１５４によって接続されている。パワーユニットが止まっている状態では圧力補償室１２０、１４２における圧力補償媒体として用いられる冷却オイルが、遠心力がないために圧力補償室から流出するので、圧力補償室はそれぞれ再び新たに（動力車の）パワートレーンの作動のあいだに満たされる。
【００４５】
操作ピストン１３０の、圧力室１４０に割り当てられた圧力付勢面が、ピストン１３０の、圧力補償室１４２に割り当てられた圧力付勢面よりも小さく且つそのうえよりわずかな大きさで半径方向外側へ向かって広がっているので、壁部材１３２に少なくとも一つの充填レベル制限開口部（充填状態制限開口部）１５６が形成されている。当該充填レベル制限開口部が、圧力補償室１４２の必要な遠心力補償を生み出す最大の半径方向充填レベルをセットする。最大の充填レベルが到達されていると、孔１５４を経て供給される冷却オイルが充填レベル制限開口部１５６を通って流れ出る。そしてリング部材６６とハブ部８４との間で半径方向外側へ向かって進む冷却オイル流と一つにまとまる。ピストン１１０の場合には、当該ピストンの、圧力室１１８に割り当てられた圧力付勢面と圧力補償室１２０に割り当てられた圧力付勢面とが同じ大きさであり、同一の半径方向領域において広がっている。その結果、圧力補償室１２０については対応する充填レベル制限手段が必要ない。
【００４６】
念のためにさらに述べておくと、作動中に好ましくはさらに別の冷却オイル流が発生する。そこで、トランスミッション入力軸２４に少なくとも一つの半径方向孔１６０が設けられており、当該半径方向孔を経て、並びに両方のトランスミッション入力軸の間のリング状通路（リング状ダクト）を経て別の冷却オイル部分流が流れる。当該冷却オイル部分流は、二つの部分流に分かれ、それらのうちの一方は両方のハブ部８０及び８４の間を通って（スラストベアリング９４を通って）半径方向外側へ向かって流れ、もう一方の部分流はトランスミッション入力軸２２のトランスミッションから遠いほうの端部領域とハブ部８０との間を通り並びにこのハブ部８０とクラッチハブ３４のリング状部分３８との間を通って（軸受（ベアリング）９８及び１００を通って）半径方向外側へ向かって流れる。
【００４７】
半径方向外側に向かって流れる冷却オイルが第一のマルチプレートクラッチ手段６４に付設された操作ピストン１１０の半径方向外側の部分に隣接して集まり且つ少なくとも比較的大きな回転数の場合に遠心力によって引き起こされてこのピストンの連動状態をもたらす運動を妨害する可能性があるだろうから、ピストン１１０は、少なくとも一つの圧力補償開口部１６２を有し、当該圧力補償開口部がピストンの一方の側から他方の側への冷却オイルの流れを可能にする。それに応じて、遠心力によって引き起こされてピストンに及ぼされる押圧力の相応の補償を伴うピストンの両方の側への冷却オイルの集積が生じるだろう。さらに、ピストンと冷却オイルとの相互作用に基づく別の力が必要な軸方向のピストン運動を妨害することが阻止される。ここでは、例えば流体動力学的な力あるいはそのようなもの並びに外側プレート担持体６２へのピストンの「吸いつき(Festsaugen)」が念頭におかれる。
【００４８】
少なくとも一つの冷却オイル流出口を第一のマルチプレートクラッチ手段６４の外側プレート担持体６２の半径方向に延在する半径方向外側の領域に設けてもよい。このような冷却オイル流出口は、符号１６４を付されて破線で暗示されている。それにもかかわらず冷却流動体（冷却オイル）による第一のマルチプレートクラッチ手段６４のプレートパケット７６の十分な貫流を保証するために、冷却オイル案内エレメント（一般には冷却流動体案内エレメント）が設けられているとよい。図１では、プレートパケット７６の隣接した端部プレート１６６が冷却オイル案内部分１６８を有し、その結果当該端部プレート１６６自体が冷却オイル案内エレメントとして用いられ得るだろうことが破線で暗示されている。
【００４９】
両方のマルチプレートクラッチ手段の操作のための圧力制御装置の簡単な構成を顧慮して、図１の実施例の場合には、（半径方向外側のクラッチ手段６４よりも小さい有効な摩擦半径に基づいて）半径方向内側のマルチプレートクラッチ手段７２について操作圧力それ自体に関連して与えられる、もう一方のクラッチ手段６４に比較してより小さなトルク伝達能力が少なくとも一部は補償されることが考慮に入れられた。このために、圧力室１４０に割り当てられたピストン１３０の圧力付勢面が圧力室１１８に割り当てられたピストン１１０の圧力付勢面よりも大きい。その結果、これらの圧力室における油圧オイル圧力が等しい場合にピストン１３０にはピストン１１０によりも大きい軸方向に向けられた力が及ぼされる。
【００５０】
ピストンに付設されたパッキングの半径方向のずらされた配置(Staffelung)によって、特に当該パッキングのうちの少なくともいくつかのパッキングの軸方向についての重なり合い（すなわち軸方向の広がりのうちの少なくとも一部分が重なり合って位置する）も、自由になる構造空間の好適な利用を可能にする、ということにさらに言及する必要があるだろう。
【００５１】
プレートパケット７４、７６については、すでに述べた冷却オイルの供給及びプレート担持体における（図１ではただ図式的に暗示されているだけの）冷却オイル貫流開口部の形成に加えて、過熱の危険の回避のための措置が講じられていることが可能である。そこで、プレートのうちの少なくともいくつかを「中間蓄熱器（熱一時蓄積器、Waermezwischenspeicher）」として利用することが有利である。これらの中間蓄熱器は、冷却流動体（ここでは冷却オイル）を用いてのあるいは前記プレート担持体を介しての熱伝導によっての熱搬出可能性を一時的に過大に要求する、例えばすべり運転のあいだに発生する熱を一時蓄積し、この熱を後の時点で、例えば該当するマルチプレートクラッチ手段のクラッチがきられた状態において、運び去ることができるようにする。このために、半径方向内側の（第二の）マルチプレートクラッチ手段の場合には、摩擦ライニングなしの、つまり摩擦ライニングを担持していないプレートが摩擦ライニングを担持しているプレートの摩擦ライニング担持エレメントよりも軸方向に厚く構成されており、それにより、当該摩擦ライニングなしのプレートに関してそれぞれ相応の熱容量をもつ比較的に大きい材料体積を与える。これらのプレートは、顕著な（特記すべき）蓄熱能力（熱容量）をもつ材料、例えば鋼、から作り出される必要があるだろう。摩擦ライニングを担持しているプレートは、通例の摩擦ライニング、例えば紙からなる摩擦ライニングの使用の場合には、わずかな熱しか一時蓄積できない。なぜならば、紙は、悪い熱伝導度をもつからである。
【００５２】
伝導率の小さいライニング材料の代わりに伝導率の高いライニング材料を使用すれば、摩擦ライニングを担持している摩擦ライニング担持エレメントの熱容量が、同様に、蓄熱器として利用できるようにされ得る。比較的に高い熱伝導度をもつ焼結材料からなる摩擦ライニングの使用が考慮に値する。ただし、焼結ライニングの使用において問題となることは、焼結ライニングがすべり回転数（摩擦する表面の間の相対回転数ΔN）に対しての摩擦係数（摩擦値、Reibwert）μの逓減（減少）する推移（変化）を有すること、つまり、ｄμ／ｄΔN＜０であることである。摩擦係数の逓減する推移は、これがパワートレーンにおける振動の自励を促進する可能性があるないしはこのような振動を少なくとも減衰させ得ないという点で、不都合である。その理由で、一つのプレートパケットに焼結材料からなる摩擦ライニングを備えるプレートもすべり回転数に対して累進的な（増大する）摩擦係数推移(ｄμ／ｄΔN＞０）をもつ別の材料からなる摩擦ライニングを備えるプレートも設けられていると有利である。その結果、当該プレートパケットについて全体ですべり回転数に対しての累進的な摩擦係数推移があるいは少なくとも近似的にすべり回転数に対しての中立的な摩擦係数推移（ｄμ／ｄΔN＝０）が生じ、それに応じてパワートレーンにおける振動の自励が少なくとも促進されない、あるいは（好ましくは）それどころかパワートレーンにおけるねじり振動（回転振動）が（すべり回転数に対しての言及に値するほどの累進的な摩擦係数推移に基づいて）減衰させられる。
【００５３】
ここで、図１の実施例の場合に半径方向内側のマルチプレートクラッチ手段７２のプレートパケット７４が焼結ライニングなしに構成されていることを出発点とする。なぜならば、好ましくは半径方向外側のマルチプレートクラッチ手段６４が相応のすべり運転を伴う発進クラッチ(Anfahrkupplung)として使用されるからである。最後に述べたこと、つまり、半径方向外側のマルチプレートクラッチ手段が発進クラッチとして用いられるということは、より大きな有効な摩擦半径に基づいてこのマルチプレートクラッチ手段が（同じトルク伝達能力のために）よりわずかな操作力で作動させられ得る、その結果、面圧力（面加圧、Flaechenpressung）が第二のマルチプレートクラッチ手段に比べて軽減されていることが可能であるという点で有利である。これには、第一のマルチプレートクラッチ手段６４のプレートを第二のマルチプレートクラッチ手段７２のプレートよりもいくらか大きい半径方向の高さをもつように構成することも寄与する。しかし、所望の場合には、半径方向内側の（第二の）マルチプレートクラッチ手段７２のプレートパケット７４についても焼結材料からなる摩擦ライニングが使用され得る。好ましくは（説明したように）別の材料、例えば紙、からなる摩擦ライニングと組み合わせて使用するとよい。
【００５４】
半径方向内側のマルチプレートクラッチ手段７２のプレートパケット７４ではすべての内側プレートが摩擦ライニングを担持するプレートであり、すべての外側プレートがライニングなしのプレートであり、その際当該プレートパケットを軸方向にて画成する端部プレートが外側プレートであって、従ってライニングなしのプレートであるのに対して、第一のマルチプレートクラッチ手段６４のプレートパケット７６では内側プレートがライニングなしのプレートであり、外側プレートが端部プレート１６６、１７０をも含めて摩擦ライニングを担持しているプレートである。有利な構成では、少なくとも端部プレート１６６及び１７０は、他の外側プレートのライニング担持エレメントよりも軸方向にはるかに厚いライニング担持エレメントを有し、且つ焼結材料からなるライニングを備えて形成されている。それによって両方の端部プレートの比較的に大きな体積を有するライニング担持エレメントが中間蓄熱器として利用できるようにされている。プレートパケット７４の場合のように、ライニングなしのプレートは（端部プレートを除いての）摩擦ライニングを担持しているプレートの摩擦ライニング担持エレメントよりも軸方向に厚く、それによって、一時蓄熱のための比較的に大きな熱容量を与える。当該プレートパケットについて全体ですべり回転数に対して少なくともほぼ中立な摩擦係数推移を達成するために、軸方向内側に位置する外側プレートが、少なくとも一部は、累進的な摩擦係数推移を示す別の材料からなる摩擦ライニングを有するべきだろう。
【００５５】
当業者は図１から、上述の実施例に係るダブルクラッチ１２のさらなる詳細を、難無く読み取り得る。クラッチハブ３４のリング状部分３６における軸方向孔（当該軸方向孔には、ポンプ駆動軸のための内側かみ合わせ部４６が形成されている）は、そこに動かないように固定された栓部材(Stopfen)１８０によってオイルをもらさないように閉鎖されている。キャリアプレート６０は、外側プレ−ト担持体６２に二つの保持リング１７２、１７４によって軸方向について固定されている。これらの保持リングのうちの保持リング１７２は、端部プレート１７０も軸方向に支えている。対応する保持リングが外側プレート担持体７０におけるプレートパケット７４の支持のためにも設けられている。
【００５６】
さらにライニングを担持しているプレートとしての第一のマルチプレートクラッチ手段６４の外側プレートの構成に関して、（従来は通例普通であるように）摩擦ライニングが摩擦係合の状態でもプレートパケットを通り抜けて流れることを可能にする摩擦ライニング溝あるいは別の流動体通路を備えて形成されているときに、クラッチ装置の入力側部に外側プレートを割り当てることに関連してプレートパケット７６のより良好な貫流が達成されることが言及される必要があるだろう。前記入力側部は、クラッチ手段がクラッチをきられた状態にある場合もパワーユニットが作動している際にパワーユニットないしは連結端部１６と一緒に回転するので、摩擦ライニング溝が回転していることないし流動体通路が回転していることに基づいてプレートパケットの相応のより良好な貫流を伴う一種の運搬作用が生じる。図１における図示とは異なって、第二のマルチプレートクラッチ手段が、それに応じて構成されていてもよい、つまり、外側プレートを摩擦ライニングを担持しているプレートとして構成してもよい。
【００５７】
次に、図２〜図１４をもとにして、本発明に係る多重クラッチ装置、特に本発明に係るダブルクラッチ装置の別の実施例をさまざまな観点（特徴）に関して説明する。図２〜図１４の実施例は基本的な構造において図１の実施例に対応しており、図２〜図１４の図示は当業者には図１の実施例の詳しく前述された説明に基づいてすぐ理解できるので、図２〜図１４の実施例をすべての詳細について説明することは必要ないだろう。その点では、図２〜図１４の実施例に十分に難無く転用され得る図１の実施例の前述の説明を参照のこと。図２〜図１４の実施例については、図１の実施例についてと同一の符号が使用された。図２〜図１４の実施例のダブルクラッチが図１の実施例に合致するかぎりは、より明快であるために図１のすべての符号を図２〜図１４においても付することはしなかった。
【００５８】
ウエット作動のクラッチ手段を備えるクラッチ装置についての重要な観点は、クラッチ室の密閉とこれに関連してのクラッチハウジング２０の開口部における蓋体２８の固定である。図３、図６、及び図７の実施例の場合には、蓋体２８が半径方向の過大な寸法（オーバーディメンジョン、Uebermass）を有していて、ハウジング部分２０によって形成されたクラッチハウジングの開口部に押し込まれている。事情によっては蓋体が皿状化したり（もともと平坦な面が変形過程により皿と同様に特にリング形状あるいはディスク形状のへこみを有する形に変形すること、Tellern）波打ったりするという事態になる可能性があるので、クラッチハウジングを密閉するパッキングリング（シールリング）３２が設けられている。そのうえ、当該パッキングリングは、蓋体２８とクラッチハウジングとの間の軸方向の相対運動を伴う場合によっては起こり得る振動を弱める（減衰させる）という課題をもつ。Ｏリングとして形成されていることが可能である当該パッキングリングは、蓋体に、あるいはハウジングに、あるいは蓋体及びハウジングに装着されており（支持されており）、このためにハウジングのリング状溝（図７ｂ参照）に、あるいは蓋体２８の周縁部分に形成された蓋体のリング状溝（図７ａ参照）に、あるいはハウジングのリング状溝及び蓋体の周縁部分に形成された蓋体のリング状溝に収容されていることが可能である。より高い密封作用のために、一つのＯリングの代わりに二つまたはそれ以上の軸方向に相並んで配置されたＯリングが設けられてもよいだろう。別の可能性は、二つあるいはそれ以上のシーリングリップを備えるパッキングリングの使用である（図１及び図１４参照）。
【００５９】
緊密さ(Dichtigkeit)へのより高い要求に対して、図２、６、８、９、１０、１１、及び１２の実施例で使用される解決策が考慮に値する。これらの実施例のうちのいくつかの場合には（例えば図２及び図１１参照）、蓋体２８の取り付けの前にゴムリングあるいは合成物質リング（例えばプラスチックリング）が挿入された、あるいはその代わりにリング形状のパッキングエレメントが射出成形（注入、噴射）された。このようにして設けられた該当するパッキングエレメントは、図では符号２００を付されている。蓋体の取りつけによって、この弾力のあるエレメントが、つまりゴムリングあるいは合成物質リングないしは射出成形されたパッキングエレメントが、蓋体２８とハウジング２０との間で軸方向にはさんで締めつけられる。パッキングリング３２と関連して二重の密封が達成されている。しばしばパッキングリング３２が設けられなくてもよいだろう。なぜならば、軸方向にはさんで締めつけられる前記パッキングエレメントによって非常に高い密封作用が達成されるからである。蓋体２８とハウジング２０との間で場合によっては作用する締めつけ力が十分でないときには、軸方向の固定は、図１の実施例の場合と同様に、止め輪３０が引き受ける。図５の実施例の場合には止め輪の代わりのものが実現されている。止め輪の代わりに、ここでは、例えばねじ２１２を用いてクラッチハウジング２０に固定されているリング形状のロックプレート２１０が設けられている。リング形状のロックプレート２１０の代わりに、複数の別々のロックプレートセグメントが設けられていてもよいだろう。蓋体２８のこのような固定は、図８の実施例の場合にも予定されている。リング形状のロックプレートあるいは複数のロックプレートセグメントの代わりに、クラッチハウジングにねじ込まれた、蓋体２８の半径方向領域に突き出ているねじ頭部あるいは座エレメント（例えばディスクあるいはスプリング（フェザー））を備えるねじが設けられていてもよい。
【００６０】
クラッチ室のすぐれた密封は、図９及び図１０の実施例の場合に実現された解決策によって達成される。これらの実施例の場合には、蓋体２８の取り付けの後、密封物質（シール塊、Dichtmasse）２０５、例えば密封するフォーム(Schaum)２０５（その代わりに：エラストマーあるいはそのようなもの）が、蓋体２８とハウジング２０との間の密封箇所に吹き付けられた。このフォーム２０５（あるいは一般的に：この密封物質２０５）は、付加的に蓋体２８のための軸方向の固定の機能を引き受け得る（従って、図９の実施例の止め輪３０は場合によっては設けなくてもよい）。さらに、フォーム２０５は、蓋体２８とハウジング２０との間の軸方向の相対運動を伴う、あるいは半径方向の相対運動を伴う、あるいは軸方向の相対運動及び半径方向の相対運動を伴う振動を減衰させ得る。
【００６１】
例えばとりわけ簡単な密封手段、例えばＯリングだけですませたいときに場合によってはあり得る残漏損(Restleckagen)の制御（抑制）のためには、図６の実施例に対応して、溝２２０によって形成されたオイル受け部(Oelauffang)がクラッチハウジング２０に設けられているとよい。溝２２０がクラッチハウジングの下側の領域にだけ設けられていれば十分である。つまり、当該溝は、周囲をめぐって形成されている必要はない。溝２２０は、収集リザーバ(Sammelreservoir)と連通させられているとよい。事情によっては、当該溝が単に普通の整備作業の枠内において順番に排出口を経て空にされるだけでも十分である。
【００６２】
一つのウエット作動のクラッチ手段の場合にないしは複数のウエット作動のクラッチ手段の場合にシールされるべき別の箇所が、半径方向内側でクラッチ装置の入力側部（ハブ３４）と蓋体２８との間にある。蓋体２８は動かず、ハブ３４はパワーユニットが作動している状態で回転するので、相応に効果の著しい且つ蓋体２８に対してのハブ３４の回転を過度な損耗（磨損）なしに耐え抜くパッキング手段５４が設けられる必要があるだろう。当該パッキング手段は、事情によっては、付加的に軸受け機能を果たすとよい。図１の実施例の場合と類似して、図３、図９、及び図１４の実施例の場合には、パッキング手段５４の軸方向の固定は、曲げられた蓋体縁部分あるいは「オーバーハング」（図３、図１４）あるいは蓋体縁部における材料プレス部(Materialverpressung)（図９）によって与えられている。「オーバーハング」の領域において、蓋体２８が切れ目をつけられていることが可能である。これは別としてさらに、漏損を可能な限り防止するために、少なくともパッキング手段５４の半径方向の領域における蓋体の部分が閉じられている必要があるだろう。
【００６３】
重要な観点は、パワートレーンにおけるクラッチ装置の支持である。好ましくは、クラッチ装置がトランスミッション入力軸２２及び２４に軸方向に及び半径方向に支持（挿着、軸受け）されており、トランスミッションハウジングには支持されていないかあるいは（例えば蓋体２８の仲介のもとで、あるいはリング部材６６を受容する接続スリーブの仲介のもとで、あるいは蓋体とリング部材を受容する接続スリーブとの仲介のもとで）たかだか二次的にしか支持されていない。これによって、トランスミッションハウジングがベルハウジング１８の領域において満たさねばならない許容差及びクラッチ装置（ダブルクラッチ１２）が満たさねばならない許容差があまり厳格でないことが達成される。好ましくは、軸方向支持装置（スラストベアリング）としても半径方向支持装置（ラジアルベアリング）としても用いられる軸受が投入される。図１、図３、及び図１１の実施例の軸受６８を参照のこと。構成に応じて場合によってはコンパクトベアリングと呼び得るスラスト兼ラジアルベアリングが冷却流動体について、ここでは冷却オイルについて、透過させるように構成されており、一方はリング部材６６と他方はトランスミッション入力軸２２、２４との間のオイルの有利な供給を可能にするとよい。
【００６４】
別の観点は、操作ピストン１１０及び１３０のガイドに関する。すでに図１の実施例と関連して述べたように、半径方向外側のプレートパケット７６を有する第一のマルチプレートクラッチ手段６４の操作ピストン１１０は、第一の外側プレート担持体６２にも第二の外側プレート担持体７０にも移動可能にガイドされている。特に、ここで示された実施例の場合のように操作ピストンが、第一の圧力室１１８の半径方向領域から比較的大きく半径方向外側に向かって突出しており且つ従って比較的に長い有効なレバーアームを有する部分２３０（図２）によってプレートパケット７６に作用する（係合する）ときに、第一の外側プレート担持体における及び第二の外側プレート担持体におけるこの二重のガイドが、とりわけ意味がある。「レバーアーム」２３０を介して操作ピストン１１０に及ぼされるプレートパケットの反力は、確実に外側プレート担持体へ導出され得る。その際、セルフロッキング(Selbsthemmung)に通じる可能性があるだろう操作ピストン１１０の変形という事態になることがない。第二の操作ピストン１３０に関しては、（ここで示された実施例の場合のように）操作ピストン１３０の第二のプレートパケット７４の方へ突出する部分が比較的小さくしか半径方向に突き出ておらずそれに応じて有効なレバーアームによる取りたてて言うほどの「力増大」が発生しないときに、このような変形の恐れは比較的少ない。それにもかかわらず第二の外側プレート担持体７０における第一の操作ピストン１１０のガイドに対応する第二の操作ピストン１３０の付加的なガイドが、パッキング１３６の仲介のもとで壁部材１３２にて達成されている（図１参照）。
【００６５】
一つの重要な観点は、圧力室及び圧力補償室の密閉である。圧力補償室１４２に関しては、図２の実施例では、パッキングエレメント１３６の極めて合目的な構成が実現されている。パッキングエレメント１３６は、壁１３２を形成するプレート部材（シートメタル部材）に半径方向外側の周縁にかぶせられているあるいはこの周縁に吹き付けられている（射出成形されている）湾曲させられた（アーチ形にされた）パッキングエレメント１３６′として作り上げられている。これは、パッキングエレメント１３６′が壁部材１３２の周縁にて軸方向に固定されている、つまり操作ピストン１３０といっしょに動かないことを導くパッキングエレメント１３６′のとりわけ組み立てに好ましい構成である。
【００６６】
図２のパッキングエレメント１３６′は、それが第二のマルチプレートクラッチ手段７２の連動状態にされた（つながれた）状態で第二の操作ピストン１３０の対応する部分に係合し（作用し）且つ第二のマルチプレートクラッチ手段７２の開放を補助するつまり操作ピストン１３０に連動解除ポジションの方へプレストレスを与える弾性エレメント（ばねエレメント）として作用するような軸方向寸法を有するとよい。第二の外側プレート担持体７０と第一の操作ピストン１１０との間で作用するパッキング１１４も、対応して構成されているとよい。その結果、第一の操作ピストン１１０の連動解除運動もパッキング１１４によって補助される。第二の操作ピストン１３０に関しては、それの連動解除運動が、その代わりにあるいは付加的に、このために弾性的に変形可能に形成され得る壁部材１３２によって補助されてもよい。操作ピストンの連動解除運動を補助することによって、ダイアフラムスプリング１４６及び１４８（図１）だけが設けられているときよりも迅速にマルチプレートクラッチ手段がクラッチをきる方向に反応を示すことが達成される。図２の場合には、両方のダイアフラムスプリングがそれぞれの圧力補償室１２０ないし１４２内に配設されている。
【００６７】
横断面において本質的に軸方向に延在するリング状エレメントとしてのパッキングエレメントの構成の代わりのものが図７ｃ及び図７ｄに示されている。それらは、図７ａの符号ｘを付された領域の範囲におけるダブルクラッチ１２の別の形態を認識させる。図７ｃに示された変形例では、外側プレート担持体６２に（あるいは（その代わりに）ピストン１１０に、あるいは外側プレート担持体６２に及び（付加的に）ピストン１１０にも）リング状溝２４０が設けられている。当該リング状溝がそれぞれもう一方の部材（ピストンあるいは外側プレート担持体）の対応する表面と共同してラビリンスシールを形成する。そのとき、合成物質（例えばプラスチックなど）、ゴム、あるいはそのようなものからなるパッキングエレメントは設けなくてもよい。このことは、特に、両方の互いと密封係合状態にあるシールパートナーが等しい熱膨張係数をもち得るかぎり有利である。このことによって、温度変化あるいは温度変動の場合にシールパートナーの間の摩擦の本質的な変化が生じない、あるいは場合によっては漏損という事態になる密封作用の特記すべき悪化が生じない、ということが達成される。
【００６８】
シールの構成の別の可能性が、図７ｄに示されている。図７ａにおける横断面において第一義的に軸方向に延在するパッキングリング１１２の代わりに、図７ｄでは、横断面において主として半径方向に延在するパッキングリング１１２′が設けられている。当該パッキングリングは、第一の操作ピストン１１０の成形部(Ausformung)２５０に挿着されている。パッキングエレメント１１２′は、第一の外側プレート担持体６２の内周面にスクレーパー（ストリッパー、Abstreifer）のように係合する。パッキングエレメント１１２′は、外側プレート担持体６２の内周面と操作ピストン１１０の成形部２５０の底部との間に、第一のマルチプレートクラッチ手段６４の連動解除された状態（クラッチをきられた状態）で図７ｄに示されたパッキングエレメント１１２′の湾曲が結果として生じるように挟み込まれている。第一のマルチプレートクラッチ手段を連動状態にもたらす際には、パッキングエレメント１１２′の弛緩（緊張解除）及び伸展（横断面において）が生じる。つまり、パッキングエレメント１１２′は、図７ｄの状態で、つまり操作ピストン１１０が連動解除されたマルチプレートクラッチ手段に対応する終端ポジションにある場合に、最大の密封係合状態を要求されている（すなわち、最大の密封係合状態になるように応力を与えられている）。それに対して、図７ｄに示された構成とは異なって、該当するパッキングエレメントがクラッチをつなぐ際に最大の密封係合状態を要求されることも有利である。このために、パッキングエレメント１１２′の代わりに、図７ｄにおいて取り出して描かれて示されたパッキングエレメント１１２″が成形部２５０に組み込まれてもよい。このパッキングエレメントは、弛緩させられているまだ組み込まれていない状態でパッキングエレメント１１２′とは正反対に湾曲させられている。これによって、パッキングエレメント１１２″が、圧力室１１８における圧力によって、並びに連動状態にもたらす方向における操作ピストン１１０の軸方向運動によって増大する「伸展」を、従って増大する密封係合を要求されることが達成される。パッキングエレメント１１２″の伸展させられた（伸ばされた）緊張状態は、図７ｄにおいて別の取り出された描写として示されており、第一の操作ピストン１１０の連動させる運動の経過において、場合によっては軸方向の連動終端ポジションではじめて、到達され、とりわけパッキングエレメント１１２″への圧力室１１８における圧力の作用に帰され得る。当該圧力が当該パッキングエレメントを成形部２５０内へ付加的に押し込む。これによって、圧力室１１８のとりわけ効力の大きい密閉が達成される。詳しく言うとつまり、とりわけ付設されたマルチプレートクラッチ手段６４の、連動させられた状態でないしは連動させる経過で達成される。軸方向の連動終端ポジションを占める操作ピストンの状態で、つまりプレートパケット７６が最大限押しつけられて（圧縮されて）圧力室１１８を最大の圧力が支配するときに、最大の密封作用を与えることが、きわめて意味がある。特にこの運転状況で漏損が可能なかぎり発生しない必要があるだろう。
【００６９】
図７ａにおける領域ｘについての図７ｄに示された実施例の別の利点（相応のことが操作ピストンに付設された残りのパッキングにもあてはまる）は、とりわけ軸方向の構造空間の節約である。なぜならば、片側だけの溝が十分であり、溝深さ（溝の深さのある部分）が操作ピストン１１０の（あるいはその代わりに外側プレート担持体の）半径方向に延びる部分に位置し得るからである。それによって、薄い壁厚が可能である。成形部を形成する溝は、簡単に、例えばローリング（ローラで押し込むこと、roll in、Einwalzen）によって、作り出され得る。
【００７０】
操作ピストンの配置及び特にこれに付設されたパッキングの配置の仕方が、必要とされる軸方向及び半径方向の構造空間への影響をもつ。この関連における重要なパラメータは、図５に記入された角度α１、α２、及びα３である。これらの角度は、図５の実施例の場合には約５５°（α１）、約４５°（α２）、ないし約２５°（α３）である。角度α１、α２、及びα３として、軸心Ａに平行な水平線とパッキング１１４及び１３６を、パッキング１１２及び１３４を、ないしはパッキング１１６及び１３８を貫く直線との間の角度が定義されている。約１０°〜７０°の角度α１、α２、ないしα３に相当する角度範囲におけるパッキングの配置がダブルクラッチ１２のコンパクトさを顧慮して有利であることがわかった。これに関して、角度α１及びα２が特別な意義がある。図５は、互いに対応するパッキングが同一の直径あるいは半径のところにのびていなければならないということが必要でないことを明白にする。むしろ、例えばコンパクトさを顧慮して、これらのパッキングを異なる直径あるいは半径のところに配置すること（図５においてパッキング１１６及び１３８に割り当てられた半径ｒ１及びｒ２に関して暗示されている）がきわめて有利であり得る。これによって、特に、圧力室１１８及び１４０において発生する操作圧力を互いに等しく（適応、同化）させるために、第一の操作ピストン１１０の有効なピストン面が第二の操作ピストン１３０の有効なピストン面よりも小さいことにも寄与し得る。背景は、通例両方のクラッチ手段が等しいトルク（モーメント）を伝達しなければならないが、しかしこのためには第二のマルチプレートクラッチ手段が第一のマルチプレートクラッチ手段６４のプレートパケット７６よりも小さいプレートパケット７４の中央の摩擦半径に基づいてより大きな押しつけ力を必要とするということである。第二の操作ピストン１３０について圧力室における圧力媒体にさらされる、第一の操作ピストン１１０についてよりも大きい有効な圧力面を設けるという別の可能性が、図１３に示されている。さらに図１の実施例についての説明を参照するように補足しておく。
【００７１】
個々にクラッチ装置の構成に依存せずに、冷却流動体の、特に利用される冷却オイルあるいはそのようなものの、望まれない影響を回避することが、ウエット作動するクラッチ手段の場合に重要である。そこで、図１の実施例との関連ですでに説明したように、オイルの遠心力圧力の望まれていない影響はプレート担持体における、あるいは操作ピストンにおける、あるいはプレート担持体及び操作ピストンにおける開口部（例えば孔）によって軽減され得る。これによって、特に、ピストン運動の妨害あるいは侵害に通じる可能性のあるプレート担持体の変形も回避され得る。ピストン１１０及び外側プレート担持体６２に開口部１６２及び１６４を設けること（図１１参照）と関連して、開口部１６２及び１６４を通っての冷却オイルについての流出可能性にもかかわらずプレートパケット７６を通っての十分な体積流をもたらすために、隣接する端部プレート１６６を案内部分１６８を備える案内エレメントとして構成することがとりわけ有意義である。図１１の実施例の場合には対応する貫流開口部２６０が付加的にキャリアプレート６０にも設けられている。開口部１６２、１６４、及び２６０は、図１１において、共通に第一のマルチプレートクラッチ手段６４の遠心力圧力軽減手段２６２と呼ばれる。
【００７２】
図１３の実施例では、一方では第二の（内側の）マルチプレートクラッチ手段の外側プレート担持体７０の領域において軸方向の場所を節約するために及び他方では所望のときに外側プレート担持体６２に対する第一の操作ピストン１１０の相対回転に対しての相対回転防止を与えるために、第一の外側プレート担持体６２及び第一の操作ピストン１１０が冷却オイル流出開口部１６２及び１６４に関して特別の方法で形成されている。このために、第一の外側プレート担持体６２と第一の操作ピストン１１０とが、周方向に交互に部分的に取り除かれている（空所を設けられている）。その結果、操作ピストン１１０の取り除かれていない部位が外側プレート担持体６２の取り除かれている部位（空所）に、また外側プレート担持体６２の取り除かれていない部位が操作ピストン１１０の取り除かれた部位（空所）に食い込む。言及された相対回転防止を与えることは、原動機（内燃機関）の非一様さの結果における微少回転(Mikrorotationen)による外側プレート担持体６２と操作ピストン１１０との間で作用するパッキングの付加的な負荷が妨げられ得るという点で有意義である。このことはふだんは必要ないだろうが、この相対回転防止のために、操作ピストン１１０及び外側プレート担持体６２は、第一のマルチプレートクラッチ装置６４の連動させられた状態でも互いに食い込んでいなげればならない。
【００７３】
圧力補償室によって達成される、操作ピストン自体における遠心力圧力補償（遠心力圧力平衡）に関して、図２〜１４の実施例の場合には、一方は操作ピストンに付設された圧力室とこの操作ピストンに付設された圧力補償室とが、それぞれ同一の半径方向領域にわたって広がっている。その結果、例えば図１の実施例の圧力補償室１４２の充填レベル制限開口部１５６のような充填レベル制限手段が必要ない。一般的に、ピストンにおける遠心力補償について、一方は圧力室パッキングの半径と他方は圧力補償室パッキングの半径とが等しいことが絶対に必要であるわけではないことが言及され得る。それは、もっぱら圧力室と対応配置された遠心力・圧力補償室との間の遠心力により引き起こされる圧力差しだいである。当該圧力差は、最大値を超えてはならず、好ましくはゼロに近い。当該圧力差は、半径方向外側のパッキングによって与えられるピストン室の外径と並んで、半径方向内側のパッキングによって与えられるピストン室の内径にも依存する。つまりこれらによって影響を及ぼされ得る。場合によっては、付加的に、すでに言及された充填レベル制限手段が設けられていてもよい。
【００７４】
一つの重要なテーマは、多重クラッチ装置、場合によってはダブルクラッチ装置、において生じる、それぞれのクラッチ手段の摩擦係合運転状況におけるパワーロス(Verlustleistung)の制御（抑制）である、特にクラッチ手段のすべり運転の場合にもパワーロスを制御することである。このために、図１〜１４の実施例の場合にそうであるように、クラッチ手段をウエット作動する（湿式の）マルチプレートクラッチ手段として構成することがきわめて有意義である。プレートパケット７４及び７６の効果的な貫流のために、従って摩擦熱の有効な搬出のために、好ましくは、プレート担持体にそれぞれのプレートパケットに対応して流出開口部（通路開口部、貫通口）が設けられている。当該流出開口部は図３及び図４においてひとまとめに符号２７０を付されている。ライニングなしの金属プレート（通常はスチールプレート）とライニングを担持しているプレートとを有するプレートパケットの場合には、冷却流動体（ここでは冷却オイル）が少なくとも該当するマルチプレートクラッチ手段の連動状態にされた状態でスチールプレートのすぐかたわらを通って流れるように流出開口部２７０が配置されていると有利である。このことは、特に、摩擦ライニングとして絶縁する材料、例えば紙材料、が使用されるときにあてはまる。なぜならば、そのときほとんどプレートパケットの全熱容量がスチールプレートによって与えられるからである。
【００７５】
それぞれの内側プレート担持体８２ないし８６における流出開口部２７０と外側プレート担持体６２ないし７０における流出開口部とが互いに直接に向き合って位置していること、場合によっては互いと一直線に並んでいることは必要ない。むしろ、流出開口部を互いに対して相対的に軸方向にて位置を変える（ずらして位置させる）ことによって内側プレート担持体と外側プレート担持体との間の冷却オイルの流れ経路をより長くし、その結果、オイルが、プレートパケットの領域により長くとどまり、互いに摩擦係合状態にされ得るプレートの間の剪断間隙（ずりギャップ、Scherspalt）からの及びスチールプレートからの熱吸収のためにより多くの時間をもつことが合目的である。
【００７６】
これに関連して、プレートパケットを貫流するオイルが連動解除作用の方向にプレートに作用し、したがって該当するマルチプレートクラッチ手段の迅速な連動解除を補助するととりわけ合目的であることが言及される必要があるだろう。有利には、このために、一方はプレートパケットと他方は外側プレート担持体６２ないし７０の軸方向に延在するリング状部分との、あるいは内側プレート担持体８２ないし８６との、あるいは外側プレート担持体６２ないし７０の軸方向に延在するリング状部分及び内側プレート担持体８２ないし８６との間で、流出開口部２７０の相応の配置と（正反対の方向におけるキャリアプレート６０の方へ向かうプレートパケットの領域からのオイルの軸方向の流出の妨害あるいは抑制と関連して）操作ピストンの方への方向におけるプレートパケットの領域からのオイルについての軸方向の流出可能性を与えることとによって達成される有効なオイル流が利用される。当該オイル流がプレートにひきずり作用（ひきずるようにして移動させる作用、Schleppwirkung）を及ぼす。
【００７７】
パワーロスの大部分は、発進の際に、発進クラッチとして使用されるクラッチ手段にて発生するだろう。その理由で、発進クラッチとして用いられるクラッチ手段がとりわけ有効に冷却されることがもたらされる必要がある。有利であるように、半径方向外側のプレートパケット７６を有する第一のマルチプレートクラッチ手段６４が発進クラッチとして用いられるならば、オイル体積流の比較的大きな部分が内側のクラッチ手段７２のかたわらを通りすぎて案内されることが合目的である。このために、図４及び図１１において示されているように、プレートパケット７４のかたわらを通り過ぎて半径方向外側に向かってプレートパケット７６へのオイル流を可能にするために、第二の内側プレート担持体８６が流出開口部２８０を備えて構成されているとよい。そのとき、外側のマルチプレートクラッチ手段６４の内側のプレート担持体８２が、有利には、オイル流のための案内プレート(Leitblech)として用いられ、その結果、流出開口部２８０を通り抜けて流されるオイルの少なくとも主たる部分が内側プレート担持体８２におけるプレートパケット７６に対応配置された流出開口部２７０に達する。これに関連して、案内部分１６８を備える端部プレート１６６の構成もとりわけ有意義である。なぜならば、これは、内側プレート担持体８２における流出開口部２７０に向かって流れるオイルが少なくとも主としてこれらの流出開口部を通り抜けて進み且つプレートパケット７６を貫流することをもたらすからである。
【００７８】
例えば発進の際にあるいはすべり運転において発生する摩擦熱をより良好に支配することができるように、該当するクラッチ手段、特に第一のクラッチ手段６４、の熱容量が、さまざまな措置によって増大させられるとよい。このクラッチ手段について、ここでは半径方向外側の第一のクラッチ手段について、プレートの数を他のクラッチ手段のプレート数に比べてより大きくすることも可能である。そこで、図２、図１１、及び図１２の実施例の場合には第一の（外側の）クラッチ手段６４が内側の（第二の）クラッチ手段７２よりも多くのプレートを有する。プレート数を異ならせることがおそらく意味する両方のクラッチ手段のプレートの製造のためにより多くの材料を使用する(Materialeinsatz)ということをプレートパケット７６のより大きな熱容量に関しての利点が正当化することが認識された。別の可能性は、摩擦ライニングのうちの少なくともいくつかを熱伝導能力のある材料から作り出すことである。例えば、図１の実施例との関連で言及された焼結ライニングが使用され得る。そこで、例えば図３〜１０及び図１３の実施例の場合には軸方向外側のライニングを担持しているプレート（端部プレート）、つまり軸方向外側の外側プレートが、焼結材料製の摩擦ライニングを装備されている。焼結ライニングの高い熱伝導度に基づいて、これらの端部プレートが効果的に損失パワーの蓄積のために、特に発進時損失パワー(Anfahr-Verlustleistung)の蓄積のために、利用され得る。これらの端部プレートのとりわけ高い熱容量のために、これらは軸方向に比較的に厚く作られている。図１の実施例についての説明を参照のこと。
【００７９】
利用できる熱容量をより大きくするための別の可能性は、図２、図１１、及び図１２の実施例の場合にそうであるように、キャリアプレート６０がプレートパケットの摩擦面として使用されるということである。キャリアプレート６０は個々のプレートに比べてはるかに大きい質量を有し、それに応じてはるかに大きい熱容量を有し、それによって多量の摩擦熱を一時蓄積し得る。そのうえ、キャリアプレートは、大きな表面を有し、そこで冷却オイルと相互作用し得る。その結果、一時蓄積された熱が冷却オイルによって有効にキャリアプレート６０から運び去られ得る。
【００８０】
図１１の実施例と図１２の実施例との間の相違点は、プレートパケット７６における最も右側のライニングを担持しているプレート、例えば紙プレートが、図１２の実施例の場合には半径方向において（半径方向内側に向かって）図１１の実施例の場合よりも短く構成されていることである。この措置の背景は、ライニングを担持しているプレートの均等でない面圧力（面加圧）が問題、例えばライニング分裂（ライニングが裂けること、Belagspaltungen）、を導く可能性があるということである。図１１の実施例の場合には、キャリアプレート６０にすぐ隣接しているライニングを担持している外側プレートの均等でない面圧力が懸念される。なぜならば、当該プレートに対応したキャリアプレートの摩擦面が丸くされた移行表面領域に移行し、当該領域において当該プレートがもはや十分に軸方向に支えられていないからである。もちろん、キャリアプレートの摩擦面をそれの半径方向の寸法について、隣接したプレートが至る所で均等に支えられているようにより大きくすることも可能であるだろう。しかしながら、このことは、結果として、多くの半径方向の構造空間が必要であるということを伴うだろう。それに比べて、図１２の解決策は有利である。ここでは、キャリアプレート６０にすぐ隣接している、キャリアプレート６０の摩擦面と摩擦係合させられ得る外側プレートが半径方向により短く形成されている。つまり、他の外側プレートよりも大きい内側半径(Innenradius)を有し、それに応じて他の外側プレートよりも小さい中間の摩擦半径を有する。この外側プレートの半径方向寸法は、キャリアプレート６０の摩擦面が外側プレートの半径方向領域において本質的に平らであるように、キャリアプレート６０の摩擦面の半径方向の寸法に調和させられている。残りのライニングを担持しているプレート（外側プレート）は、キャリアプレート６０にすぐ隣接しているライニングを担持しているプレート（外側プレート）よりも大きい半径方向寸法を有していてよい。なぜならば、隣接している軸方向最も外側の内側プレート（スチールプレート）は比較的大きな摩擦ライニング面にわたっても均等な面圧力をもたらすからである。面圧力の均等化のために当該プレートパケットの他のライニングを担持しているプレートもそれらの中間の摩擦半径に関して異なっていてもよい。つまり外側プレートの場合には例えばさまざまな内側半径を有していてよい。これによって、ライニングなしのスチールプレートにおいて、目的に合致して、熱によるスチールプレートの変形に反対に作用する温度プロフィール（Temperaturprofile）が生じさせられ得る。さらに、相応の温度プロフィールによって、別のスチールプレートの熱により引き起こされる変形を補償するスチールプレートの熱により引き起こされる変形を目的に合致して生じさせることが可能である。その結果、全体で面圧力の均等化がもたらされる。
【００８１】
一つのプレートパケットにおいて異なる材料の摩擦ライニングを与えることに関しては、これによって摩擦係数推移が累進と中立と逓減との間で調整され得ることを図１の実施例と関連してすでに指摘した。パワートレーンにおけるねじり振動の発生に反対に作用するために、累進（増大）する摩擦係数推移が有利であり、例えばねじり振動の減衰あるいは抑制のための特別な措置が講じられているという理由でねじり振動が問題を示すことがないかぎりは、少なくとも中立な摩擦係数推移も有利である。摩擦ライニングを担持しているすべてのプレートをそれの熱容量によって中間蓄熱器として利用できるようにするために、一つのプレートパケットのすべての摩擦ライニングを焼結材料から製造することも全く考え得る。
【００８２】
図２〜１２の実施例の場合に両方のダイアフラムスプリング１４６及び１４８（図２参照）がそれぞれの圧力補償室（１２０ないし１４２）内に配設されていることをすでに指摘した。それによって自由になる構造空間が好適に利用される。図１２の実施例では、外側プレート担持体７０がダイアフラムスプリング１４６の半径方向外側に高さｂの段部を有する。当該段部は操作ピストン１１０のための終端ストッパとして用いられる。段部高さｂは、ダイアフラムスプリング１４６の厚さに調和させられている。その結果、右に向かって動く操作ピストン１１０による図１２の図示に対して正反対の方向へのダイアフラムスプリングの変形（曲げ、Verbiegung）が妨げられる。その理由で、外側プレート担持体７０におけるダイアフラムスプリング１４６のための平らな接触面は必要ない。その結果、外側プレート担持体７０がその横断面形状に関して、必要とされる構造空間を最小限に減らすことを顧慮して有意義であるように形作られていることが可能である。
【００８３】
図１〜１４のすべての実施例の場合に、クラッチ装置がクラッチハブ３４を介してパワートレーンのパワーユニットに連結されている。くわしく言うと、好ましくは、図１３に例として示されているようにねじり振動ダンパを介して連結されている。さらに、図１〜１４のすべての実施例の場合に、ポンプ駆動軸２６が半径方向最も内側の回転軸として設けられており、かみ合わせ部を介してクラッチハブ３４と連結されている。これに関しては図１の実施例についての説明を参照のこと。
【００８４】
製造技術的な理由から、当該ハブが二つの部分から構成されていると有利である（図１におけるハブのリング状部分３６及び３８）。図２、５、８、９、１０、１１、１２、１３、及び１４の実施例の場合にもハブ３４は対応して二つの部分から構成されている。一方で、図３、４、６、及び７の実施例の場合には一つの部分から構成されたハブ３４が設けられている。
【００８５】
製造技術的な理由から、さらに、当該ハブがパワーユニットに向かって開いたリング状部材として構成されており、その結果ポンプ駆動軸２６に対応配置された当該ハブの内側かみ合わせ部が容易に刻まれ得る（ブローチ削りされ得る、空けられ得る、broach、raeumen）ことが有利である。ハブの当該開口部は、有利には、パッキングエレメントによって、例えば図５に示すシール栓(Dichtzapfen)１８０によって、閉鎖されているとよい。シール栓１８０は、ハブ３４の内側かみ合わせ部によって中心合わせされており、且つハブに溶接されていることが可能である。図８の実施例の場合には、別の可能性が現実化されている。ここでは、シール栓あるいはそのようなものの代わりに、ハブ３４に、より厳密にはハブのリング状部分３６に溶接された閉鎖プレート部材(Verschlussblechteil)２９０が設けられている。当該閉鎖プレート部材は、フランジ部分に、（不図示の）ねじり振動ダンパに対応配置された外側かみ合わせ部（外側歯切り部）４２を有する。閉鎖プレート部材２９０は、ハブ３６におけるプレート部材２９０の自己中心合わせのために用いられるジャーナル状の（栓状の、ピン状の）部分を有し得る。その代わりにあるいは付加的に、プレート部材２９０が、原動機軸とトランスミッション入力軸との相互の中心合わせのために用いられるジャーナル状の部分を有してもよい。このような機能は、クラッチハブ３４自体が果たしてもよい。
【００８６】
さらに、パッキングエレメント１３６′との関連で並びに冷却オイルによるプレートの貫流との関連で論じられた該当するマルチプレートクラッチ手段の連動解除の補助の可能性が多くの点で有利である、例えば該当するマルチプレートクラッチ手段が調節されたすべりをもって作動させられるべきときに有利である、ことが言及されるべきである。クラッチ装置のいずれにせよ存在する他の構成要素もこの意味で作用し得る。例えば、すでにおおまかに上述したように付設された操作ピストンに連動解除方向にプレストレスを与えている弾性エレメントとして用いられ得る第二の圧力補償室１４２を画成する壁部材１３２がこの意味で作用し得る。
【００８７】
さまざまな実施例でのダブルクラッチ１２のさらなる詳細及び特にさまざまなダブルクラッチの間の相違点は、当業者には図面から簡単に読み取り得る。
【図面の簡単な説明】
【図１】動力車のパワートレーンにおいてトランスミッションとパワーユニットとの間に配置された、二つのマルチプレートクラッチ手段を備えるダブルクラッチを一部を切断した図示で示す図である。
【図２】図１のダブルクラッチの変形例を図１に相当する図示で示す図である。
【図３】図１のダブルクラッチの変形例を図１に相当する図示で示す図である。
【図４】図１のダブルクラッチの変形例を図１に相当する図示で示す図である。
【図５】図１のダブルクラッチの変形例を図１に相当する図示で示す図である。
【図６】図１のダブルクラッチの変形例を図１に相当する図示で示す図である。
【図７】図１のダブルクラッチの変形例を図１に相当する図示で示す図である。
【図８】図１のダブルクラッチの変形例を図１に相当する図示で示す図である。
【図９】図１のダブルクラッチの変形例を図１に相当する図示で示す図である。
【図１０】図１のダブルクラッチの変形例を図１に相当する図示で示す図である。
【図１１】図１のダブルクラッチの変形例を図１に相当する図示で示す図である。
【図１２】図１のダブルクラッチの変形例を図１に相当する図示で示す図である。
【図１３】図１のダブルクラッチの変形例を図１に相当する図示で示す図である。
【図１４】図１のダブルクラッチの変形例を図１に相当する図示で示す図である。
【符号の説明】
１０    パワートレーン
１２    ダブルクラッチ（クラッチ装置）
２２    第一のトランスミッション入力軸
２４    第二のトランスミッション入力軸
３４    クラッチハブ（入力側部材）
６０    キャリアプレート（トルク伝達部材、金属部）
６２    外側プレート担持体（壁部）
６４    第一のマルチプレートクラッチ手段（第一のクラッチ手段）
６６    リング部材（壁）
６８    軸方向兼半径方向支持装置（支持装置）
７０    外側プレート担持体（壁部）
７２    第二のマルチプレートクラッチ手段（第二のクラッチ手段）
７４    プレートパケット（プレート）
７６    プレートパケット（プレート）
９０    軸受（流動体供給路）
９２    軸受（流動体供給路）
１１０    操作ピストン
１１２    パッキングエレメント
１１２′  パッキングエレメント（パッキングリング）
１１２″  パッキングエレメント（パッキングリング）
１１４    パッキングエレメント
１１６    パッキングエレメント
１１８    圧力室
１２０    遠心力・圧力補償室
１３０    操作ピストン
１３２    壁部材（境界壁、壁部）
１３４    パッキングエレメント
１３６    パッキングエレメント
１３６′  パッキングエレメント（シール手段）
１３８    パッキングエレメント
１４０    圧力室
１４２    遠心力・圧力補償室
１４４    圧力媒体路
１４８    ダイアフラムスプリング（復元弾性手段）
１５０    リング状通路（圧力媒体路）
１５２    半径方向孔（作動流動体通路）
１５４    半径方向孔（作動流動体通路）
１５６    充填レベル制限開口部（充填制限手段、圧力補償媒体通路開口部）
１６６    端部プレート（プレート）
１７０    端部プレート（プレート）
２４０    リング状溝（ラビリンスシール）
２５０    成形部（リング状溝）
Ａ    回転軸心
【図１】
0004957981.tif 000002
【図２】
0004957981.tif 000003
【図３】
0004957981.tif 000004
【図４】
0004957981.tif 000005
【図５】
0004957981.tif 000006
【図６】
0004957981.tif 000007
【図７】
0004957981.tif 000008
【図８】
0004957981.tif 000009
【図９】
0004957981.tif 000010
【図１０】
0004957981.tif 000011
【図１１】
0004957981.tif 000012
【図１２】
0004957981.tif 000013
【図１３】
0004957981.tif 000014
【図１４】
0004957981.tif 000015